(57)【要約】  交換メッセージ（an exchange messages）のための、ラウンドトリップタイム（ＲＴＴ）に基づいて複数のデバイス間で距離の測定値を取得する方法およびシステムが、開示される。具体的には、複数のデバイス間の距離を示す計算されたパラメータを共有するために複数のデバイス間でまたはそれらのうちで（between or among devices）メッセージを送信するための技法が、説明される。
2017520758.tif 000002
【特許請求の範囲】
【請求項１】
開始ワイヤレス局（ＳＴＡ）において、ファインタイミング測定値を取得するための方法であって、
ファインタイミング測定（ＦＴＭ）要求メッセージを応答ＳＴＡに送信することと、前記ＦＴＭ要求メッセージは、前記開始ＳＴＡが測距パラメータを前記応答ＳＴＡと共有する能力を示す、
前記ＦＴＭ要求メッセージに応答した前記応答ＳＴＡからの１つまたは複数のＦＴＭメッセージを、受信することと、
前記１つまたは複数のＦＴＭメッセージに少なくとも部分的に基づいて、前記開始ＳＴＡと前記応答ＳＴＡとの間の距離を示す１つまたは複数のパラメータを計算することと、
前記１つまたは複数のパラメータを含む１つまたは複数のＦＴＭ距離報告メッセージを、前記応答ＳＴＡに送信することと、
を備える方法。
【請求項２】
前記開始ＳＴＡから受信された前記１つまたは複数のＦＴＭメッセージのうちの１つのＦＴＭメッセージの受信に応答して、肯定応答（ＡＣＫ）メッセージを前記応答ＳＴＡに送信すること、
をさらに備える、請求項１に記載の方法。
【請求項３】
前記ＦＴＭ要求メッセージを前記応答ＳＴＡに送信することは、前記応答ＳＴＡから送信されたＦＴＭ距離要求メッセージの受信に応答して、前記ＦＴＭ要求メッセージを送信することを備える、請求項１に記載の方法。
【請求項４】
前記送信された１つまたは複数のＦＴＭ距離報告メッセージは、前記開始ＳＴＡから前記応答ＳＴＡ以外の１つまたは複数のワイヤレストランシーバデバイスへの間隔を示す１つまたは複数のパラメータを含む、請求項１に記載の方法。
【請求項５】
前記１つまたは複数のＦＴＭ距離報告メッセージのうちの少なくとも１つは、前記応答ＳＴＡ以外の前記１つまたは複数のワイヤレストランシーバデバイスのうちの少なくとも１つに固有のＢＳＳＩＤ値を備える、請求項４に記載の方法。
【請求項６】
前記１つまたは複数のＦＴＭ距離報告メッセージのうちの少なくとも１つは、各ワイヤレストランシーバデバイスに関する距離エントリフィールドであって、それに関し前記ワイヤレストランシーバデバイスと前記開始ＳＴＡとの間の間隔を示すパラメータが前記１つまたは複数のＦＴＭ距離報告メッセージのうちの前記少なくとも１つにおいて提供される、各ワイヤレストランシーバデバイスに関する距離エントリフィールドを備える、請求項１に記載の方法。
【請求項７】
前記距離エントリフィールドは、設定された数のバイトを備え、ここにおいて、前記ワイヤレストランシーバデバイスと前記開始ＳＴＡとの間の前記間隔を示す前記パラメータのうちの少なくとも１つは、数分の１メートルと表される、請求項６に記載の方法。
【請求項８】
前記距離を示す前記パラメータの単位は、「最大距離エラー」フィールド中のバイトの状態に少なくとも部分的に基づいて決定される、請求項７に記載の方法。
【請求項９】
開始ワイヤレス局（ＳＴＡ）であって、
ワイヤレス通信ネットワークにメッセージを送信するおよびワイヤレス通信ネットワークからメッセージを受信するためのトランシーバと、
前記トランシーバを通した応答ＳＴＡへのファインタイミング測定（ＦＴＭ）要求メッセージの送信を開始することと、前記ＦＴＭ要求メッセージは、前記開始ＳＴＡが測距パラメータを前記応答ＳＴＡと共有する能力を示す、
前記ＦＴＭ要求メッセージに応答した前記応答ＳＴＡからの、前記トランシーバにおいて受信された１つまたは複数のＦＴＭメッセージを取得することと、
前記１つまたは複数のＦＴＭメッセージに少なくとも部分的に基づいて、前記開始ＳＴＡと前記応答ＳＴＡとの間の距離を示す１つまたは複数のパラメータを計算することと、
前記トランシーバを通した前記応答ＳＴＡへの前記１つまたは複数のパラメータを含む１つまたは複数のＦＴＭ距離報告メッセージの送信を開始することと、
を行うように構成される１つまたは複数のプロセッサと、
を備える、開始ワイヤレス局（ＳＴＡ）。
【請求項１０】
前記ＦＴＭ要求メッセージは、前記応答ＳＴＡから送信されたＦＴＭ距離要求メッセージの受信に応答して、前記応答ＳＴＡに送信される、請求項９に記載の開始ＳＴＡ。
【請求項１１】
前記送信された１つまたは複数のＦＴＭ距離報告メッセージは、前記開始ＳＴＡと前記応答ＳＴＡ以外の１つまたは複数のワイヤレストランシーバデバイスとの間の間隔を示す１つまたは複数のパラメータを含む、請求項９に記載の開始ＳＴＡ。
【請求項１２】
前記１つまたは複数のＦＴＭ距離報告メッセージのうちの少なくとも１つは、前記応答ＳＴＡ以外の前記１つまたは複数のワイヤレストランシーバデバイスのうちの少なくとも１つに固有のＢＳＳＩＤ値を備える、請求項１１に記載の開始ＳＴＡ。
【請求項１３】
前記１つまたは複数のＦＴＭ距離報告メッセージのうちの少なくとも１つは、各ワイヤレストランシーバデバイスに関する距離エントリフィールドであって、それに関し前記ワイヤレストランシーバデバイスと前記開始ＳＴＡとの間の間隔を示すパラメータが前記１つまたは複数のＦＴＭ距離報告メッセージのうちの前記少なくとも１つにおいて提供される、各ワイヤレストランシーバデバイスに関する距離エントリフィールドを備える、請求項９に記載の開始ＳＴＡ。
【請求項１４】
前記距離エントリフィールドは、設定された数のバイトを備え、ここにおいて、前記ワイヤレストランシーバデバイスと前記開始ＳＴＡとの間の前記間隔を示す１つまたは複数のパラメータは、数分の１メートルと表される、請求項１３に記載の開始ＳＴＡ。
【請求項１５】
前記距離を示す前記パラメータの単位は、「最大距離エラー」フィールド中のバイトの状態に少なくとも部分的に基づいて決定される、請求項１４に記載の開始ＳＴＡ。
【請求項１６】
応答ワイヤレス局（ＳＴＡ）において、ファインタイミング測定値を取得するための方法であって、
開始ＳＴＡからファインタイミング測定（ＦＴＭ）要求メッセージを受信することと、前記ＦＴＭ要求メッセージは、前記開始ＳＴＡが距離測定値を前記応答ＳＴＡと共有する能力を示す、
前記ＦＴＭ要求メッセージに応答して、１つまたは複数のＦＴＭメッセージを前記開始ＳＴＡに送信することと、
距離を示す１つまたは複数のパラメータを含む１つまたは複数のＦＴＭ距離報告メッセージを、前記開始ＳＴＡから受信することと、前記１つまたは複数のパラメータは、前記送信された１つまたは複数のＦＴＭメッセージに少なくとも部分的に基づいて前記開始ＳＴＡにおいて計算される、
を備える、方法。
【請求項１７】
前記ＦＴＭ要求メッセージの送信に先立って、ＦＴＭ距離要求メッセージを前記開始ＳＴＡに送信することをさらに備える、請求項１６に記載の方法。
【請求項１８】
前記１つまたは複数のＦＴＭ距離報告メッセージは、前記開始ＳＴＡと前記応答ＳＴＡ以外の１つまたは複数のワイヤレストランシーバデバイスの間の間隔を示す１つまたは複数の追加的なパラメータを含む、請求項１６に記載の方法。
【請求項１９】
前記１つまたは複数のＦＴＭ距離報告メッセージのうちの少なくとも１つは、前記開始ＳＴＡ以外の前記１つまたは複数のワイヤレストランシーバデバイスのうちの少なくとも１つに固有のＢＳＳＩＤ値を備える、請求項１８に記載の方法。
【請求項２０】
前記１つまたは複数のＦＴＭ距離報告メッセージのうちの少なくとも１つは、各ワイヤレストランシーバデバイスに関する距離エントリフィールドであって、それに関し前記ワイヤレストランシーバデバイスと前記開始ＳＴＡとの間の間隔を示すパラメータが前記１つまたは複数のＦＴＭ距離報告メッセージのうちの前記少なくとも１つにおいて提供される、各ワイヤレストランシーバデバイスに関する距離エントリフィールドを備える、請求項１６に記載の方法。
【請求項２１】
前記距離エントリフィールドは、設定された数のバイトを備え、ここにおいて、前記ワイヤレストランシーバデバイスと前記開始ＳＴＡとの間の前記間隔を示す前記パラメータのうちの前記１つまたは複数のうちの少なくとも１つは、数分の１メートルと表される、請求項２０に記載の方法。
【請求項２２】
前記距離を示す前記パラメータの単位は、「最大距離エラー」フィールド中のバイトの状態に少なくとも部分的に基づいて決定される、請求項２１に記載の方法。
【請求項２３】
前記１つまたは複数のＦＴＭメッセージは、前記ＦＴＭ要求メッセージにおける、前記開始ＳＴＡが距離測定値を前記応答ＳＴＡと共有する前記能力のインジケーションの存在にさらに応答して、送信される、請求項１６に記載の方法。
【請求項２４】
応答ワイヤレス局（ＳＴＡ）であって、
ワイヤレス通信ネットワークにメッセージを送信するおよびワイヤレス通信ネットワークからメッセージを受信するためのトランシーバと、
前記トランシーバにおいて開始ＳＴＡから受信されたファインタイミング測定（ＦＴＭ）要求メッセージを取得することと、前記ＦＴＭ要求メッセージは、前記開始ＳＴＡが距離測定値を前記応答ＳＴＡと共有する能力を示す、
前記ＦＴＭ要求メッセージに応答して、前記開始ＳＴＡへの前記トランシーバを通した１つまたは複数のＦＴＭメッセージの送信を開始することと、
距離を示す１つまたは複数のパラメータを含む、前記トランシーバにおいて前記開始ＳＴＡから受信された１つまたは複数のＦＴＭ距離報告メッセージを取得することと、前記１つまたは複数のパラメータは、前記送信された１つまたは複数のＦＴＭメッセージに少なくとも部分的に基づいて、前記開始ＳＴＡにおいて計算される、
を行うように構成される１つまたは複数のプロセッサと、
を備える、応答ワイヤレス局（ＳＴＡ）。
【請求項２５】
前記１つまたは複数のＦＴＭ距離報告メッセージのうちの少なくとも１つは、少なくとも、前記開始ＳＴＡと前記応答ＳＴＡとの間の第１の距離と、前記開始ＳＴＡと少なくとも１つの他のワイヤレストランシーバデバイスとの間の第２の距離とを含む、測定された距離を備える、請求項２４に記載の応答ＳＴＡ。
【請求項２６】
前記１つまたは複数のＦＴＭ距離報告メッセージは、前記開始ＳＴＡと前記応答ＳＴＡ以外の１つまたは複数のワイヤレストランシーバデバイスとの間の間隔を示す１つまたは複数の追加的なパラメータを含む、請求項２４に記載の応答ＳＴＡ。
【請求項２７】
前記１つまたは複数のＦＴＭ距離報告メッセージのうちの少なくとも１つは、前記開始ＳＴＡ以外の前記１つまたは複数のワイヤレストランシーバデバイスのうちの少なくとも１つに固有のＢＳＳＩＤ値を備える、請求項２６に記載の応答ＳＴＡ。
【請求項２８】
前記１つまたは複数のプロセッサは、前記ＦＴＭ要求メッセージの送信に先立って、前記開始ＳＴＡへの前記トランシーバを通したＦＴＭ距離要求メッセージの送信を開始するようにさらに構成される、請求項２４に記載の応答ＳＴＡ。
【請求項２９】
前記ＦＴＭ要求メッセージは、前記ＦＴＭ要求メッセージが、前記ＦＴＭ要求メッセージの特定のフィールドに埋め込まれている前記距離を示す前記１つまたは複数のパラメータを備えることを示す、トリガフィールドにおける値を備える、請求項２４に記載の応答ＳＴＡ。
【発明の詳細な説明】
【関連出願】
【０００１】
これは、「Methods and Systems for Enhanced Round Trip Time (RTT) Exchange」と題され、２０１４年５月５日に出願された米国特許仮出願第６１／９８８，８８６号、および「Methods and Systems For Enhanced Round Trip Time (RTT) Exchange」と題され、２０１５年４月２９日に出願された米国特許非仮出願第１４／６９９，９６６号に対する優先権を主張するＰＣＴ出願であり、それらは、参照によってここに全体が組み込まれる。
【背景技術】
【０００２】
［技術分野］
[0001]  ここに説明される実施形態は、モバイル送信機から入手される信号の測定値（measurements）を取得することを対象とする。
【０００３】
［情報］
[0002]  グローバルポジショニングシステム（ＧＰＳ）のような衛星測位システム（ＳＰＳ）は、屋外環境におけるモバイルハンドセットのためのナビゲーションサービスを可能にした。同様に、屋内環境におけるモバイルデバイスのポジションの推定値（estimates）を取得するための特定の技法は、居住、行政、または商用の場（residential, governmental or commercial venues）のような特定の屋内場（indoor venues）における、改善された（enhanced）位置ベースのサービスを可能にし得る。例えば、固定された位置（fixed location）にポジショニングされたトランシーバとモバイルデバイスとの間の距離（a range）は、第１のデバイスから第２のデバイスへの第１のメッセージの送信と、第１のメッセージに応答して送信された第２のメッセージの第１のデバイスにおける受信との間で測定された、ラウンドトリップタイム（ＲＴＴ）の測定値に少なくとも部分的に基づいて、測定され得る。
【０００４】
[0003]  非限定的かつ非網羅的な態様が、以下の図を参照して説明され、ここで、同様の参照数字は、別段の規定がない限り、様々な図の至る所で同様の部分を指す。
【図面の簡単な説明】
【０００５】
【図１】[0004]  図１は、１つのインプリメンテーションにしたがって、モバイルデバイスを含むシステムのある特定の特徴を例示するシステム図である。
【図２】[0005]  図２は、特定の実施形態にしたがって、複数のワイヤレス局（ＳＴＡ）間のメッセージフローを例示する図である。
【図３】図３は、特定の実施形態にしたがって、複数のワイヤレス局（ＳＴＡ）間のメッセージフローを例示する図である。
【図４】図４は、特定の実施形態にしたがって、複数のワイヤレス局（ＳＴＡ）間のメッセージフローを例示する図である。
【図５】[0006]  図５は、特定の実施形態にしたがって、メッセージの交換に関連してＳＴＡによって実行されるプロセスのフローダイアグラムである。
【図６】図６は、特定の実施形態にしたがって、メッセージの交換に関連してＳＴＡによって実行されるプロセスのフローダイアグラムである。
【図７】[0007]  図７は、１つの実施形態にしたがって、ファインタイミング測定距離報告（a fine timing measurement range report）におけるフィールドを示す図である。
【図８】[0008]  図８は、１つの実施形態にしたがって、ファインタイミング測定距離報告の距離エントリ部分（a range entry portion）のフィールドを示す図である。
【図９】[0009]  図９は、１つのインプリメンテーションにしたがって、例示的なデバイスを例示する概略ブロック図である。
【図１０】[00010]  図１０は、１つのインプリメンテーションにしたがった例示的な計算システムの概略ブロック図である。
【発明の概要】
【０００６】
[00011]  簡潔には、特定のインプリメンテーションは、次のことを備える開始ワイヤレス局（ＳＴＡ）におけるファインタイミング測定値を取得するための方法を、対象とする：ファインタイミング測定（ＦＴＭ）要求メッセージを応答ＳＴＡに送信することと、そのＦＴＭ要求メッセージは、開始ＳＴＡが測距パラメータ（ranging parameters）を応答ＳＴＡと共有する能力を示す；そのＦＴＭ要求メッセージに応答した応答ＳＴＡからの１つまたは複数のＦＴＭメッセージを、受信することと；１つまたは複数のＦＴＭメッセージに少なくとも部分的に基づいて、開始ＳＴＡと応答ＳＴＡとの間の距離を示す１つまたは複数のパラメータを計算することと；計算された１つまたは複数のパラメータを含む１つまたは複数のＦＴＭ距離報告メッセージを、応答ＳＴＡに送信すること。
【０００７】
[00012]  別の特定のインプリメンテーションは、次のものを備える開始ワイヤレス局（ＳＴＡ）を、対象とする：ワイヤレス通信ネットワークにメッセージを送信するおよびワイヤレス通信ネットワークからメッセージを受信するためのトランシーバと；応答ＳＴＡへのそのトランシーバを通したファインタイミング測定（ＦＴＭ）要求メッセージの送信を、開始することと、そのＦＴＭ要求メッセージは、開始ＳＴＡが測距パラメータを応答ＳＴＡと共有する能力を示す；そのＦＴＭ要求メッセージに応答した応答ＳＴＡからの、トランシーバにおいて受信された１つまたは複数のＦＴＭメッセージを取得することと；１つまたは複数のＦＴＭメッセージに少なくとも部分的に基づいて、開始ＳＴＡと応答ＳＴＡとの間の距離を示す１つまたは複数のパラメータを計算することと；応答ＳＴＡへの、トランシーバを通したそれら計算された１つまたは複数のパラメータを含む１つまたは複数のＦＴＭ距離報告メッセージの送信を、開始することと；を行うように構成される１つまたは複数のプロセッサ。
【０００８】
[00013]  別の特定のインプリメンテーションは、開始ＳＴＡの１つまたは複数のプロセッサによって次のことを実行可能である機械読み取り可能な命令を記憶した非一時的な記憶媒体を、対象とする：応答ＳＴＡへのファインタイミング測定（ＦＴＭ）要求メッセージの送信を開始することと、そのＦＴＭ要求メッセージは、開始ＳＴＡが測距パラメータを応答ＳＴＡと共有する能力を示す；そのＦＴＭ要求メッセージに応答した応答ＳＴＡからの、開始ＳＴＡにおいて受信された１つまたは複数のＦＴＭメッセージを取得することと；それら１つまたは複数のＦＴＭメッセージに少なくとも部分的に基づいて、開始ＳＴＡと応答ＳＴＡとの間の距離を示す１つまたは複数のパラメータを計算することと；応答ＳＴＡへのそれら計算された１つまたは複数のパラメータを含む１つまたは複数のＦＴＭ距離報告メッセージの送信を開始すること。
【０００９】
[00014]  別の特定のインプリメンテーションは、次のものを備える開始ワイヤレス局（ＳＴＡ）における装置を、対象とする：ファインタイミング測定（ＦＴＭ）要求メッセージを応答ＳＴＡに送信するための手段と、そのＦＴＭ要求メッセージは、開始ＳＴＡが測距パラメータを応答ＳＴＡと共有する能力を示す；そのＦＴＭ要求メッセージに応答した応答ＳＴＡからの１つまたは複数のＦＴＭメッセージを、受信するための手段と；それら１つまたは複数のＦＴＭメッセージに少なくとも部分的に基づいて、開始ＳＴＡと応答ＳＴＡとの間の距離を示す１つまたは複数のパラメータを計算するための手段と；応答ＳＴＡに、それら計算された１つまたは複数のパラメータを含む１つまたは複数のＦＴＭ距離報告メッセージを送信するための手段。
【００１０】
[00015]  別の特定のインプリメンテーションは、次のことを備えるファインタイミング測定値を取得するための応答ワイヤレス局（ＳＴＡ）における方法を、対象とする：開始ＳＴＡからファインタイミング測定（ＦＴＭ）要求メッセージを受信することと、そのＦＴＭ要求メッセージは、開始ＳＴＡが距離測定値（ranging measurements）を応答ＳＴＡと共有する能力を示す；そのＦＴＭ要求メッセージに応答して、１つまたは複数のＦＴＭメッセージを開始ＳＴＡに送信することと；距離を示す１つまたは複数のパラメータを含む１つまたは複数のＦＴＭ距離報告メッセージを、開始ＳＴＡから受信することと、それら１つまたは複数のパラメータは、送信された１つまたは複数のＦＴＭメッセージに少なくとも部分的に基づいて、開始ＳＴＡにおいて計算される。
【００１１】
[00016]  別の特定のインプリメンテーションは、次のものを備える応答ワイヤレス局（ＳＴＡ）を、対象とする：ワイヤレス通信ネットワークにメッセージを送信するおよびワイヤレス通信ネットワークからメッセージを受信するためのトランシーバと；そのトランシーバにおいて開始ＳＴＡから受信されたファインタイミング測定（ＦＴＭ）要求メッセージを取得することと、そのＦＴＭ要求メッセージは、開始ＳＴＡが距離測定値を応答ＳＴＡと共有する能力を示す；そのＦＴＭ要求メッセージに応答して、開始ＳＴＡへのトランシーバを通した１つまたは複数のＦＴＭメッセージの送信を開始することと；距離を示す１つまたは複数のパラメータを含む、トランシーバにおいて開始ＳＴＡから受信された１つまたは複数のＦＴＭ距離報告メッセージを取得することと、それら１つまたは複数のパラメータは、送信された１つまたは複数のＦＴＭメッセージに少なくとも部分的に基づいて、開始ＳＴＡにおいて計算される；を行うように構成される１つまたは複数のプロセッサ。
【００１２】
[00017]  別の特定のインプリメンテーションは、応答ＳＴＡの１つまたは複数のプロセッサによって次のことを実行可能である機械読み取り可能な命令を記憶した非一時的な記憶媒体を、対象とする：開始ＳＴＡから、応答ＳＴＡにおいて受信されたファインタイミング測定（ＦＴＭ）要求メッセージを取得することと、そのＦＴＭ要求メッセージは、開始ＳＴＡが距離測定値を応答ＳＴＡと共有する能力を示す；そのＦＴＭ要求メッセージに応答して、開始ＳＴＡへの１つまたは複数のＦＴＭメッセージの送信を開始することと；開始ＳＴＡと応答ＳＴＡとの間の距離を示す１つまたは複数のパラメータを含む、応答ＳＴＡにおいて開始ＳＴＡから受信された１つまたは複数のＦＴＭ距離報告メッセージを取得することと、それら１つまたは複数のパラメータは、送信された１つまたは複数のＦＴＭメッセージに少なくとも部分的に基づいて、開始ＳＴＡにおいて計算される。
【００１３】
[00018]  別の特定のインプリメンテーションは、次のものを備える応答ＳＴＡにおける装置を、対象とする：開始ＳＴＡからファインタイミング測定（ＦＴＭ）要求メッセージを受信するための手段と、そのＦＴＭ要求メッセージは、開始ＳＴＡが距離測定値を応答ＳＴＡと共有する能力を示す；そのＦＴＭ要求メッセージに応答して、１つまたは複数のＦＴＭメッセージを開始ＳＴＡに送信するための手段と；開始ＳＴＡと応答ＳＴＡとの間の距離を示す１つまたは複数のパラメータを含む１つまたは複数のＦＴＭ距離報告メッセージを、第２のワイヤレストランシーバデバイスから受信するための手段と、それら１つまたは複数のパラメータは、送信された１つまたは複数のＦＴＭメッセージに少なくとも部分的に基づいて、開始ＳＴＡにおいて計算される。
【００１４】
[00019]  前述のインプリメンテーションは単なる例示的なインプリメンテーションに過ぎず、特許請求される主題は、これらの例示的なインプリメンテーションの何れの特定の態様にも必ずしも限定されないことは、理解されるべきである。
【詳細な説明】
【００１５】
[00020]  以下に説明されるように、特定のメッセージフローは、複数のワイヤレス局（ＳＴＡ）間のメッセージの送信に関連してラウンドトリップタイム（ＲＴＴ）の効果的かつ効率的な測定を可能にし得る。特定の例では、ＳＴＡは、例えば、モバイルユーザ局（例えば、スマートフォン、ノートブックコンピュータ、タブレットコンピュータ等）またはワイヤレスサービスアクセスデバイス（例えば、ワイヤレスローカルエリアネットワーク（ＷＬＡＮ）アクセスポイント、パーソナルエリアネットワーク（ＰＡＮ）またはフェムトセル）等のような、いくつかのタイプのトランシーバデバイスのうちの何れか１つを備え得る。メッセージフレーム中の特定のメッセージフローおよびフィールドは、例えば、より少ないメッセージを使用して、複数のワイヤレスＳＴＡ間の距離を測定するために十分な正確さを有するＲＴＴ測定値を取得することを、可能にし得る。そのような測定された距離は、例えば、ポジショニング動作を含むいくつかのアプリケーションのうちの何れか１つにおいて使用され得る。
【００１６】
[00021]  以下で説明するように、第１のＳＴＡは、第１のＳＴＡがＲＴＴ測定値を取得することを可能にするフレームまたはメッセージの交換のためのプロセスを開始するために、ファインタイミング測定要求メッセージ（a fine timing measurement request message）を第２のＳＴＡに送信し得る。特定のインプリメンテーションでは、ファインタイミング測定要求メッセージは、第１のＳＴＡが距離測定値または距離を示す他のパラメータを共有する能力がある（capable of）かどうかに関するインジケーションを含み得る。特定のインプリメンテーションでは、ＲＴＴ測定値の計算の後で、第１のＳＴＡは、計算された距離、あるいはＲＴＴ測定値または距離を示す他のパラメータを備える１つまたは複数のメッセージを、第２のＳＴＡに送信し得る。これは単に例示的なインプリメンテーションに過ぎず、特許請求される主題はこの点に限定されないことは、理解されるべきである。
【００１７】
[00022]  １つの実施形態にしたがって、図１に示されるように、モバイルデバイス１００ａまたは１００ｂは、ワイヤレス通信ネットワークに無線信号を送信し得る、およびワイヤレス通信ネットワークから無線信号を受信し得る。１つの例では、モバイルデバイス１００は、ワイヤレス通信リンク１２５上でローカルトランシーバ１１５にワイヤレス信号を送信することまたはワイヤレス通信リンク１２５上でローカルトランシーバ１１５からワイヤレス信号を受信することによって、通信ネットワークと通信し得る。
【００１８】
[00023]  特定のインプリメンテーションでは、ローカルトランシーバ１１５は、屋内環境にポジショニングされ得る。ローカルトランシーバ１１５は、ワイヤレスローカルエリアネットワーク（ＷＬＡＮ、例えば、ＩＥＥＥ  Ｓｔｄ．８０２．１１ネットワーク）またはワイヤレスパーソナルエリアネットワーク（ＷＰＡＮ、例えば、Ｂｌｕｅｔｏｏｔｈ（登録商標）ネットワーク）へのアクセスを提供し得る。別の例示的なインプリメンテーションでは、ローカルトランシーバ１１５は、セルラ通信プロトコルにしたがって、ワイヤレス通信リンク１２５上での通信を容易にする能力があるフェムトセルトランシーバを備え得る。当然ながら、これらはワイヤレスリンク上でモバイルデバイスと通信し得るネットワークの単なる例に過ぎず、特許請求される主題はこの点に限定されないことは、理解されるべきである。
【００１９】
[00024]  特定のインプリメンテーションでは、ローカルトランシーバ１１５ａまたは１１５ｂは、リンク１４５を通してネットワーク１３０上でサーバ１４０、１５０および／または１５５と通信し得る。ここでは、ネットワーク１３０は、有線またはワイヤレスリンクの如何なる組み合わせも備え得る。特定のインプリメンテーションでは、ネットワーク１３０は、ローカルトランシーバ１１５を通してモバイルデバイス１００とサーバ１４０、１５０または１５５との間の通信を容易にする能力があるインターネットプロトコル（ＩＰ）インフラストラクチャを備え得る。別のインプリメンテーションでは、ネットワーク１３０は、モバイルデバイス１００とのモバイルセルラ通信を容易にする有線またはワイヤレス通信ネットワークインフラストラクチャを備え得る。
【００２０】
[00025]  特定のインプリメンテーションでは、モバイルデバイス１００またはローカルトランシーバ１１５は、ローカル送信機（例えば、既知の位置（locations）にポジショニングされたＷＬＡＮアクセスポイント）から入手される信号に少なくとも部分的に基づいて、ポジションフィックス（a position fix）を計算する能力があり得る。例えば、受信機デバイス（例えば、モバイルデバイス１００またはローカルトランシーバ１１５）は、既知の位置にポジショニングされた、３つ以上の屋内地上ワイヤレスアクセスポイントへの距離を測定することによって、ポジションフィックスを取得し得る。そのような距離は、例えば、そのようなアクセスポイントから受信される信号からＭＡＣ  ＩＤアドレスを取得することと、例えば、受信された信号強度（ＲＳＳＩ）またはＲＴＴ等の、そのようなアクセスポイントから受信された信号の１つまたは複数の特性を測定することによってそれらアクセスポイントへの距離測定値（range measurements）を取得することとによって、測定され得る。代替のインプリメンテーションでは、モバイルデバイス１００は、屋内エリア内の特定の位置における予期されるＲＳＳＩおよび／またはＲＴＴシグネチャを示す無線ヒートマップ（a radio heatmap）に、入手された信号の特性を適用することによって、屋内ポジションフィックスを取得し得る。特定のインプリメンテーションでは、無線ヒートマップは、ローカル送信機の識別（identities）（例えば、ローカル送信機から入手された信号から認識される（discernible from）ＭＡＣアドレス）、識別されたローカル送信機によって送信された信号からの予期されるＲＳＳＩ、識別された送信機からの予期されるＲＴＴ、および場合によってはこれらの予期されるＲＳＳＩまたはＲＴＴからの標準偏差（standard deviations）を関連付け得る（associate）。しかしながら、これらは、無線ヒートマップに記憶され得る値の単なる例に過ぎず、特許請求される主題はこの点に限定されないことは、理解されるべきである。
【００２１】
[00026]  特定のインプリメンテーションでは、モバイルデバイス１００またはローカルトランシーバ１１５は、サーバ１４０、１５０または１５５から、屋内ポジショニング動作のためのポジショニング支援データ（positioning assistance data）を受信し得る。例えば、そのようなポジショニング支援データは、例えば、測定されたＲＳＳＩおよび／またはＲＴＴに少なくとも部分的に基づいて既知の位置にポジショニングされた送信機への距離を測定することを可能にするために、これらの送信機の識別および位置を、含み得る。屋内ポジショニング動作を援助するための他のポジショニング支援データは、ほんの少しの例をあげるとすれば、無線ヒートマップ、磁気ヒートマップ、送信機の識別および位置、ルータビリティグラフ（routeability graphs）を含み得る。
【００２２】
[00027]  特定のインプリメンテーションでは、複数のワイヤレスＳＴＡ間の特定のメッセージフローは、上述したようなポジショニング動作で用いる複数のＳＴＡ間のメッセージの交換からＲＴＴの測定値を取得するために、インプリメントされ得る。以下に説明されるような特定のインプリメンテーションでは、任意のＳＴＡは、モバイルデバイス（例えば、モバイルデバイス１００）または固定トランシーバ（例えば、ＩＥＥＥ  ｓｔｄ．８０２．１１アクセスポイント、固定Ｂｌｕｅｔｏｏｔｈデバイス、ローカルトランシーバ１１５等）を備え得る。したがって、複数のワイヤレスＳＴＡ間のメッセージの交換は、ほんの少しの例を提供するとすれば、モバイルデバイスと固定トランシーバとの間の（例えば、ワイヤレスリンク１２５上でのモバイルデバイス１００とローカルトランシーバ１１５との間の）、２つのピアモバイルデバイス間の（例えば、ワイヤレスリンク１５９上でのモバイルデバイス１００ａと１００ｂとの間の）、または２つの固定トランシーバ間の（例えば、ワイヤレスリンク１７９上でのローカルトランシーバ１１５ａとローカルトランシーバ１１５ｂとの間の）メッセージの交換を備え得る。特定のインプリメンテーションでは、ここに説明される様々な技法は、IEEE Standard 802.11 for Information technology−Telecommunications and information exchange between systems, Local and metropolitan area networks−Specific requirements Part 11: Wireless LAN Medium Access Control (MAC) and Physical Layer (PHY)、２０１２年２月６日、セクション１０．２３．５（以下、「ＩＥＥＥ  ｓｔｄ．８０２．１１」と称する）の、必ずしもすべてではないがいくつかの態様または特徴を組み込み得る。実際には、ここに説明されるいくつかの特徴は、ＩＥＥＥ  ｓｔｄ．８０２．１１に示されていないか、説明されていないか、または教示されていないことは、理解されるべきである。
【００２３】
[00028]  図２は、１つの実施形態にしたがって、「応答（responding）」ＳＴＡおよび「開始（initiating）」ＳＴＡを含む複数のワイヤレス局ＳＴＡ間のメッセージフローを例示する図である。この文脈では、応答ＳＴＡまたは開始ＳＴＡは、モバイルデバイス（例えば、モバイルデバイス１００）または固定アクセストランシーバデバイス（例えば、ローカルトランシーバ１１５）を含むいくつかのトランシーバデバイスのうちの何れか１つを備え得る。しかしながら、これらは、開始ＳＴＡまたは応答ＳＴＡの単なる例に過ぎず、特許請求される主題はこの点に限定されないことは、理解されるべきである。開始ＳＴＡは、開始ＳＴＡと応答ＳＴＡとの間で送信されたフレームまたはメッセージのタイミングに少なくとも部分的に基づいて、ＲＴＴの１つまたは複数の測定値を取得または計算し得る。ここで使用される場合、「メッセージ」および「フレーム」という用語は、置換え可能に使用される。開始ＳＴＡは、ファインタイミング測定要求メッセージまたはフレーム（「要求」）２０２を、応答ＳＴＡに送信し得、それに応じて送信されたファインタイミング要求メッセージ肯定応答メッセージまたはフレーム（a fine timing request message acknowledgement message or frame）（「Ａｃｋ」）２０４を受信し得る。特定のインプリメンテーションでは、この点で特許請求される主題を限定することなく、そのようなファインタイミング測定要求メッセージ２０２のコンテンツは、ＩＥＥＥ  ｓｔｄ．８０２．１１のセクション８．６．８．２５に示されるようなものであり得る。特定のインプリメンテーションでは、そのようなＡｃｋフレーム２０４は、単に前に送信されたメッセージの受信のインジケーションを提供し得るに過ぎない。開始ＳＴＡは次いで、応答ＳＴＡから受信された（およびファインタイミング測定要求メッセージの受信に応答して送信された）ファインタイミング測定メッセージまたはフレーム（「Ｍ」）２０６において提供されるタイムスタンプ値（ｔ１、ｔ４）に少なくとも部分的に基づいて、ＲＴＴ測定値を取得または計算し得る。特定のインプリメンテーションでは、メッセージフローダイアグラムに示されるように、交互に行われるファインタイミング測定メッセージ２０６とそれに続くファインタイミング測定肯定応答メッセージ２０８の一連の複数の交換は、追加的なタイムスタンプ値（ｔ１、ｔ２、ｔ３およびｔ４）を作り出し得る（create）。
【００２４】
[00029]  １つの実施形態にしたがって、開始ＳＴＡによって送信されたファインタイミング測定（ＦＴＭ）要求メッセージは、開始ＳＴＡがＲＴＴ測定値を計算することを可能にするファインタイミング測定値を開始ＳＴＡに提供するための、応答ＳＴＡとのメッセージの所望の交換（a desired exchange of messages）を特徴付けるフィールド、パラメータ等を含み得る。ＦＴＭ要求メッセージの受信に応答して、応答ＳＴＡは、開始ＳＴＡに、開始ＳＴＡがＲＴＴまたは距離を示す他のパラメータを計算することを可能にするパラメータまたは測定値を含む１つまたは複数のＦＴＭメッセージを、送信し得る。
【００２５】
[00030]  特定のインプリメンテーションでは、この点で特許請求される主題を限定することなく、そのようなファインタイミング測定メッセージまたはフレームのコンテンツは、ＩＥＥＥ  ｓｔｄ．８０２．１１のセクション８．６．８．２６に示されるようなものであり得る。１つの例示的なインプリメンテーションでは、開始ＳＴＡは、ＲＴＴ測定値を、（ｔ４−ｔ１）−（ｔ３−ｔ２）として計算し得、ここでｔ２およびｔ３は、それぞれ、前の（previous）ファインタイミング測定メッセージまたはフレームの受信および先行する（preceding）肯定応答メッセージまたはフレームの送信の時間である。開始ＳＴＡは、受信ＳＴＡおよび応答ＳＴＡ間の距離を計算する際にバイアスされていない測定ノイズのキャンセレーション（cancellation of unbiased measurement noise）のために組み合わされ得る、対応する数のＲＴＴ測定値を取得するために、ひと続きのファインタイミング測定要求メッセージを一気に（in a burst）送信し得る。
【００２６】
[00031]  １つの実施形態にしたがって、開始ＳＴＡにおいて計算されたＲＴＴ測定値は、三辺測量（trilateration）のような上述した技法を使用して開始ＳＴＡの推定される位置を取得するために使用され得る。他のインプリメンテーションでは、開始ＳＴＡにおいて計算されたＲＴＴ測定値（および／または１つまたは複数のＲＴＴ測定値に基づいて計算された距離）は、（ＲＴＴを計算する際に使用されるファインタイミング測定値を取得することに関係する（participating in））応答ＳＴＡと共有され得る。１つの実施形態では、ファインタイミング測定要求メッセージは、ファインタイミング測定値を取得する際に開始ＳＴＡが開始ＳＴＡと応答ＳＴＡとの間のトランザクションをそこで特徴付け得る「トリガ」フィールドを含む、多くのフィールドを備え得る。特定のインプリメンテーションでは、開始ＳＴＡは、開始ＳＴＡが受け手の（a recipient）応答ＳＴＡと１つまたは複数の計算されたＲＴＴ測定値（および／またはＲＴＴ測定値から計算された距離）を共有することができるおよび共有する用意がある（willing to）ことを示す、ファインタイミング測定要求メッセージのトリガフィールド中の特定の値（例えば、２）を、指定（specify）し得る。これは、図３の信号フローに例示される。示されるように、開始ＳＴＡは、トリガフィールド中に、２という値を指定しているファインタイミング測定要求メッセージ３０２を送信する。タイミング測定メッセージ３０４とＡＣＫメッセージ３０６との後続する交換において、開始ＳＴＡは、上述したようにＲＴＴ値を計算し得る。（例えば、ｔ１およびｔ４に関する値をトランスポートする）最後のファインタイミング測定メッセージ３０４を受信することに応答して、開始ＳＴＡによって送信されるＡＣＫメッセージ３０６に続いて、開始ＳＴＡは、応答ＳＴＡから受信されたファインタイミング測定値に少なくとも部分的に基づいて計算された（距離および／または）ＲＴＴに関する値を含むＦＴＭ距離報告メッセージ３０８を、送信し得る。
【００２７】
[00032]  図３の特定のインプリメンテーションは、開始ＳＴＡから請求されていない（unsolicited）ＦＴＭ距離報告メッセージを応答ＳＴＡに提供することを対象とする。図４は、応答ＳＴＡが開始ＳＴＡによるＦＴＭ距離報告メッセージ４０２の送信を請求（solicits）するメッセージフローを示す図である。ここで、応答ＳＴＡによるＦＴＭ距離要求メッセージ４０４の送信は、開始ＳＴＡによるＦＴＭ要求メッセージ４０６の送信に先立って発生する。特定のインプリメンテーションでは、開始ＳＴＡは、応答ＳＴＡから受信されたＦＴＭ距離要求メッセージ４０６の受信に応答してＦＴＭ要求メッセージ４０６を送信し得る。ここで、ＦＴＭ要求メッセージ４０６は、ＦＴＭ要求メッセージ４０６が特定のフィールドに埋め込まれた距離測定値を含むことを示すトリガフィールド中の特定の値（例えば、「２」）を、指定し得る。この距離測定値は、開始ＳＴＡと応答ＳＴＡとの間のＦＴＭメッセージと、ＦＴＭ要求メッセージとの、前の交換に少なくとも部分的に基づいて、計算されている可能性がある。
【００２８】
[00033]  図５および６は、ＲＴＴまたは距離を示す他のパラメータの計算を容易にするために、メッセージの交換に関連してＳＴＡによって実施（carried out）され得るプロセスのフローダイアグラムである。別の特定のインプリメンテーションでは、図５のプロセスは、開始ＳＴＡによって実施され得、図６のプロセスは、応答ＳＴＡによって実施され得る。ブロック５０２において、例えば、開始ＳＴＡは、開始が１つまたは複数の測距パラメータを他のＳＴＡと共有する能力（a capability）を示すＦＴＭ要求メッセージを、応答ＳＴＡに送信し得る。図３および図４に示されるように、１つまたは複数の測距パラメータを他のＳＴＡと共有する能力のそのようなインジケーションは、２のような、トリガフィールドにおける特定の値を備え得る。共有されるべき測距パラメータは、ほんの少しの例を提供するとすれば、例えば、開始ＳＴＡと応答ＳＴＡとの間の距離を示すタイムスタンプ値、最大距離エラー（maximum range error）、（例えば、ＲＴＴに基づいて計算された間隔（distance）を単位とした（in units of））計算された距離、計算されたＲＴＴを含み得る。しかしながら、これらは開始ＳＴＡと応答ＳＴＡとの間の距離を示し得るパラメータの単なる例に過ぎず、特許請求される主題はこの点に限定されないことは、理解されるべきである。
【００２９】
[00034]  ブロック５１０において、応答ＳＴＡは、ブロック５０２において開始ＳＴＡによって送信されたＦＴＭ要求メッセージを受信し得る。ブロック５１０において受信されたＦＴＭ要求メッセージに応答して、応答ＳＴＡは、ブロック５１２において、１つまたは複数のＦＴＭメッセージを開始ＳＴＡに送信し得る。ブロック５０４において、開始ＳＴＡは、ブロック５１２において送信された１つまたは複数のＦＴＭメッセージを受信し得、開始ＳＴＡと応答ＳＴＡとの間の距離を示す１つまたは複数のパラメータを計算し得る。上で指摘したように、距離を示すそのようなパラメータは、ほんの少しの例を提供するとすれば、単位で（in units）計算された距離測定値、計算されたＲＴＴ値を示し得る。
【００３０】
[00035]  ブロック５０６において計算されたパラメータは、ブロック５０８において、開始ＳＴＡから応答ＳＴＡに送信され得る。例えば、ブロック５０６において計算されたパラメータは、図３および図４に示されるように、ＦＴＭ距離報告メッセージ中で送信され得る。
【００３１】
[00036]  １つの実施形態にしたがって、ブロック５１２において応答ＳＴＡは、開始ＳＴＡがＦＴＭ距離報告メッセージを提供する能力のインジケーションを含むＦＴＭ要求メッセージに応答する場合（if in response to）、１つまたは複数のＦＴＭメッセージを選択的に送信し得る。受信されたＦＴＭ要求メッセージ中にそのようなインジケーションがない場合は、応答ＳＴＡは、その受信されたＦＴＭ要求メッセージに応答してＦＴＭメッセージを送信することを控え得る。
【００３２】
[00037]  １つのインプリメンテーションでは、図４に示されるようなＦＴＭ要求メッセージに先行するＦＴＭ距離要求メッセージは、計算された距離パラメータを共有する能力があるＳＴＡに送信され得る。そのようなＦＴＭ距離要求メッセージは、ＩＥＥＥ  ｓｔｄ．８０２．１１のセクション８．４．２．２０．１９にしたがって送信され得る。特定のインプリメンテーションではまた、拡張能力要素（the Extended Capabilities element）中に「ＦＴＭ距離共有（FTM range share）」ビットがあり得る。示されるように、ＦＴＭ距離要求メッセージの受信に応答して開始ＳＴＡは、ＦＴＭ距離要求メッセージに対応するＡＣＫメッセージを初めに送信し得、その後にＦＴＭ要求メッセージの送信が続く。ＦＴＭ要求メッセージはさらに、上述したように、開始ＳＴＡが計算されたＲＴＴ測定値または距離を示す他のパラメータを含むＦＴＭ距離報告メッセージを送信する能力があるおよび／または送信する用意があることを示すために、トリガフィールドに２という値を指定し得る。
【００３３】
[00038]  特定のインプリメンテーションでは、図２から図４に示されるようなＡＣＫメッセージは、ＦＴＭ距離報告メッセージを形成するようにプログラム可能でないワイヤレストランシーバ中のハードワイヤードのデバイス／ロジック（a hardwired device/logic）によって生成され得る。ある実施形態では、ＦＴＭ距離報告メッセージを形成および送信するためのロジックは、プログラム可能なデバイス（例えば、ＤＳＰまたは他のプログラム可能なプロセッサデバイス）においてインプリメントされ得る。例えば、ＦＴＭ距離報告メッセージの送信を形成および開始するためのロジックは、アプリケーションプロセッサ上でホストされるソフトウェアプログラムのインプリメントされた機械読み取り可能な命令であり得る。
【００３４】
[00039]  図７は、１つの実施形態にしたがって、ＦＴＭ距離報告メッセージのフィールドを示す。この特定のインプリメンテーションでは、開始ＳＴＡは、ＦＴＭ距離報告メッセージ（例えば、関連するＲＴＴ測定値から計算された）の受け手以外のＳＴＡから距離測定値を取得し得る。ここで、距離エントリカウントフィールドは、それらへの距離がＦＴＭ距離報告メッセージ中で提供されている別個の複数のＳＴＡ（distinct STAs）の数（「Ｍ」）を指定し得る。距離エントリフィールドはそして、（例えば、合計Ｍ個の計算された距離値に関して）提供されている各計算された距離について１１または１３バイト値を含み得る。したがって、距離報告メッセージは、開始ＳＴＡと応答ＳＴＡとの間の、また開始ＳＴＡと少なくとも１つの他の応答ＳＴＡとの間の、測定された距離を備え得る。これは、距離を示す計算された１つまたは複数のパラメータがＦＴＭ距離報告メッセージのフィールド中に如何に表され得るかについての単なる例に過ぎず、特許請求される主題はこの点に限定されないことは、理解されるべきである。
【００３５】
[00040]  図８は、１つの実施形態にしたがって、ＦＴＭ距離報告メッセージの距離エントリ部分のフィールドを示す。フィールド「測定スタート時間または部分的なＴＳＦタイマ（Measurement Start Time or Partial TSF Timer）」は、距離測定値を取得するためのトランザクションがスタートされた最初の時間（an initial time）を指定し得る。フィールド「ＢＳＳＩＤ」は、ＲＴＴ測定値がそれに対して計算されたＳＴＡに固有のＢＳＳＩＤ値を含み得る。代替のインプリメンテーションでは、ＢＳＳＩＤフィールドは、ＦＴＭ距離報告が開始ＳＴＡと応答ＳＴＡとの間のＦＴＭ要求メッセージとＦＴＭメッセージとの先行する交換に基づく場合、省略され得る。しかしながら、他の固有の識別子（other unique identifiers）が使用され得る。フィールド「距離（Range）」は、（例えば、ＲＴＴに基づいて）計算された距離に関する値を指定し得る。１つの実施形態では、距離というフィールドは、フィールド「最大距離エラー（Max Range Error）」におけるバイトの状態に依存して、距離１／２５６、１／６４メートルまたは１／３２メートルを表し得る。
【００３６】
[00041]  図９は、１つの実施形態にしたがった、モバイルデバイスの概略図である。モバイルデバイス１００（図１）は、図９に示されるモバイルデバイス１１００の１つまたは複数の特徴を備え得る。ある特定の実施形態では、モバイルデバイス１１００はまた、ワイヤレス通信ネットワーク上でワイヤレスアンテナ１１２２を介してワイヤレス信号１１２３を送信および受信する能力があるワイヤレストランシーバ１１２１を備え得る。ワイヤレストランシーバ１１２１は、ワイヤレストランシーババスインタフェース１１２０によってバス１１０１に接続され得る。ワイヤレストランシーババスインタフェース１１２０は、いくつかの実施形態では、少なくとも部分的にワイヤレストランシーバ１１２１に統合され得る。いくつかの実施形態は、ほんの少しの例をあげるとすれば、例えば、ＩＥＥＥ  Ｓｔｄ．８０２．１１、ＣＤＭＡ、ＷＣＤＭＡ（登録商標）、ＬＴＥ（登録商標）、ＵＭＴＳ、ＧＳＭ（登録商標）、ＡＭＰＳ、Ｚｉｇｂｅｅ（登録商標）およびＢｌｕｅｔｏｏｔｈのバージョンのような、対応する複数のワイヤレス通信規格にしたがって信号を送信および／または受信することを可能にするために、複数のワイヤレストランシーバ１１２１およびワイヤレスアンテナ１１２２を含み得る。
【００３７】
[00042]  モバイルデバイス１１００はまた、ＳＰＳアンテナ１１５８を介してＳＰＳ信号１１５９を受信および入手する能力があるＳＰＳ受信機１１５５を備え得る。ＳＰＳ受信機１１５５はまた、モバイルデバイス１０００の位置を推定するために、入手されたＳＰＳ信号１１５９を、全体または部分的に、処理し得る。いくつかの実施形態では、（１つまたは複数の）汎用プロセッサ１１１１、メモリ１１４０、（１つまたは複数の）ＤＳＰ１１１２および／または専用プロセッサ（示されていない）もまた、ＳＰＳ受信機１１５５と併せて、モバイルデバイス１１００の推定される位置を算出する、および／または、全体または部分的に、入手されたＳＰＳ信号を処理するために、利用され得る。ポジショニング動作を実行する際に使用されるためのＳＰＳまたは他の信号のストレージは、メモリ１１４０またはレジスタ（示されていない）において実行され得る。
【００３８】
[00043]  また図９に示されるが、モバイルデバイス１１００は、バスインタフェース１１１０によってバス１１０１に接続される（１つまたは複数の）デジタルシグナルプロセッサ（（１つまたは複数の）ＤＳＰ）１１１２、バスインタフェース１１１０によってバス１１０１に接続される（１つまたは複数の）汎用プロセッサ１１１１、およびメモリ１１４０を備え得る。バスインタフェース１１１０は、（１つまたは複数の）ＤＳＰ１１１２、（１つまたは複数の）汎用プロセッサ１１１１およびメモリ１１４０と統合され得る。様々な実施形態において、機能は、ほんの少しの例をあげるとすれば、ＲＡＭ、ＲＯＭ、ＦＬＡＳＨまたはディスクドライブのようなコンピュータ読み取り可能な記憶媒体上など、メモリ１１４０に記憶された１つまたは複数の機械読み取り可能な命令の実行（execution）に応答して、実行され得る。１つまたは複数の命令は、（１つまたは複数の）汎用プロセッサ１１１１、専用プロセッサまたは（１つまたは複数の）ＤＳＰ１１１２によって実行可能であり得る。メモリ１１４０は、ここに説明された機能を実行するために（１つまたは複数の）プロセッサ１１１１および／または（１つまたは複数の）ＤＳＰ１１１２によって実行可能なソフトウェアコード（プログラミングコード、命令等）を記憶する、コンピュータ読み取り可能なメモリおよび／または非一時的なプロセッサ読み取り可能なメモリを、備え得る。特定のインプリメンテーションでは、ワイヤレストランシーバ１１２１は、モバイルデバイス１１００が上述したようなワイヤレスＳＴＡとして構成されることを可能にするために、バス１１０１を通して（１つまたは複数の）汎用プロセッサ１１１１および／または（１つまたは複数の）ＤＳＰ１１１２と通信し得る。（１つまたは複数の）汎用プロセッサ１１１１および／または（１つまたは複数の）ＤＳＰ１１１２は、図５および図６に描かれる（depicted in）アクション、または図３および４に関連して上で説明されたプロセスの１つまたは複数の態様を実行するために、命令を実行し得る。
【００３９】
[00044]  １つの特定のインプリメンテーションでは、ＦＴＭ測定要求メッセージ（a FTM measurement request message）に応答してのＡＣＫメッセージの送信は、（１つまたは複数の）汎用プロセッサ１１１１または（１つまたは複数の）ＤＳＰ１１１２からの命令またはイニシエーション（initiation）なしに、ワイヤレストランシーバデバイス１１２１によって実行され得る。一方、ＦＴＭ距離報告メッセージは、（例えば、メモリ１１４０に記憶された１つまたは複数の機械読み取り可能な命令の実行から）（１つまたは複数の）汎用プロセッサ１１１１および／または（１つまたは複数の）ＤＳＰ１１１２のようなプログラム可能なデバイスにおいて、形成され得る。
【００４０】
[00045]  また図９に示されるが、ユーザインタフェース１１３５は、ほんの少しの例をあげるとすれば、例えば、スピーカ、マイクロフォン、ディスプレイデバイス、バイブレーションデバイス、キーボード、タッチスクリーンのようないくつかのデバイスのうちの何れか１つを備え得る。特定のインプリメンテーションでは、ユーザインタフェース１１３５は、ユーザがモバイルデバイス１１００上でホストされる１つまたは複数のアプリケーションと相互作用することを可能にし得る。例えば、ユーザインタフェース１１３５のデバイスは、ユーザからのアクションに応答して、（１つまたは複数の）ＤＳＰ１１１２または汎用／アプリケーションプロセッサ１１１１によってさらに処理されることになるアナログまたはデジタル信号をメモリ１１４０上に記憶し得る。同様に、モバイルデバイス１１００上でホストされるアプリケーションは、出力信号をユーザに提示するためにアナログまたはデジタル信号をメモリ１１４０上に記憶し得る。別のインプリメンテーションでは、モバイルデバイス１１００は、オプションとして、例えば、専用スピーカ、マイクロフォン、デジタル−アナログ回路構成（circuitry）、アナログ−デジタル回路構成、増幅器、および／または利得制御を備える専用オーディオ入力／出力（Ｉ／Ｏ）デバイス１１７０を含み得る。しかしながら、これはオーディオＩ／Ｏがモバイルデバイスにおいて如何にインプリメントされ得るかの単なる例に過ぎず、特許請求される主題はこの点に限定されないことは、理解されるべきである。別のインプリメンテーションでは、モバイルデバイス１１００は、キーボードまたはタッチスクリーンデバイス上のタッチ（touching）または圧力に応答するタッチセンサ１１６２を備え得る。
【００４１】
[00046]  モバイルデバイス１１００はまた、静止画像または動画像（still or moving imagery）をキャプチャするための専用カメラデバイス１１６４を備え得る。専用カメラデバイス１１６４は、ほんの少しの例をあげるとすれば、例えば、イメージングセンサ（例えば、電荷結合素子またはＣＭＯＳイメージャ（charge coupled device or CMOS imager））、レンズ、アナログ−デジタル回路構成、フレームバッファを備え得る。１つのインプリメンテーションでは、キャプチャされたイメージを表す（representing）信号の追加的な処理、条件付け（conditioning）、符号化または圧縮は、汎用／アプリケーションプロセッサ１１１１または（１つまたは複数の）ＤＳＰ１１１２において実行され得る。代替的に、専用ビデオプロセッサ１１６８が、キャプチャされたイメージを表す信号の条件付け、符号化、圧縮または操作（manipulation）を実行し得る。加えて、専用ビデオプロセッサ１１６８は、モバイルデバイス１１００上の、ディスプレイデバイス（示されていない）上での提示のために、記憶されたイメージデータを復号／圧縮解除し得る。
【００４２】
[00047]  モバイルデバイス１１００はまた、例えば、慣性センサおよび環境センサを含み得るバス１１０１に結合されたセンサ１１６０を備え得る。センサ１１６０の慣性センサは、例えば、加速度計（例えば、集合的に、３次元でモバイルデバイス１１００の加速に応答する）、１つまたは複数のジャイロスコープ、または１つまたは複数の磁気計（例えば、１つまたは複数のコンパスアプリケーションをサポートするための）を備え得る。モバイルデバイス１１００の環境センサは、例えば、ほんの少しの例をあげるとすれば、温度センサ、大気圧センサ、周辺光センサ、カメライメージャ、マイクロフォンを備え得る。センサ１１６０は、メモリ１１４０に記憶され得、例えば、ナビゲーション動作またはポジショニングを対象とするアプリケーションのような１つまたは複数のアプリケーションをサポートして、（１つまたは複数の）ＤＰＳまたは汎用／アプリケーションプロセッサ１１１１によって処理され得るアナログまたはデジタル信号を、生成し得る。
【００４３】
[00048]  特定のインプリメンテーションでは、モバイルデバイス１１００は、ワイヤレストランシーバ１１２１またはＳＰＳ受信機１１５５において受信およびダウンコンバートされた信号のベースバンド処理を実行する能力がある専用モデムプロセッサ１１６６を、備え得る。同様に、専用モデムプロセッサ１１６６は、ワイヤレストランシーバ１１２１による送信のためにアップコンバートされることになる信号のベースバンド処理を実行し得る。代替のインプリメンテーションでは、専用モデムプロセッサを有する代わりに、ベースバンド処理は、汎用プロセッサまたはＤＳＰ（例えば、汎用／アプリケーションプロセッサ１１１１または（１つまたは複数の）ＤＳＰ１１１２）によって、実行され得る。しかしながら、これらはベースバンド処理を実行し得る構造の単なる例に過ぎず、特許請求される主題はこの点に限定されないことは、理解されるべきである。
【００４４】
[00049]  図１０は、例えば、図１に関連して上述したプロセスまたは技法をインプリメントするように構成可能な１つまたは複数のデバイスを含み得る例示的なシステム１８００を例示する概略図である。システム１８００は、例えば、第１のデバイス１８０２、第２のデバイス１８０４および第３のデバイス１８０６を含み得、それらは、ワイヤレス通信ネットワークを通して互いに動作可能に結合され得る。１つの態様では、第１のデバイス１８０２は例えば、示されるように、アクセスポイントを備え得る。第２のデバイス１８０４は、１つの態様では、アクセスポイント（例えば、ローカルトランシーバ１１５または基地局トランシーバ１１０）を備え得、第３のデバイス１８０６は、モバイル局またはモバイルデバイスを備え得る。また、１つの態様では、デバイス１８０２、１８０４および１８０２は、ワイヤレス通信ネットワークに含まれ得、例えば、１つまたは複数のワイヤレスアクセスポイントを備え得る。しかしながら、特許請求される主題は、これらの点の範囲に限定されない。
【００４５】
[00050]  第１のデバイス１８０２、第２のデバイス１８０４、および第３のデバイス１８０６は、図９に示されるように、ワイヤレス通信ネットワーク上でデータを交換するように構成可能であり得る如何なるデバイス、機器（appliance）またはマシンも表し得る（representative of）。限定ではなく例として、第１のデバイス１８０２、第２のデバイス１８０４、または第３のデバイス１８０６の何れも、次のものを含み得る：例えば、デスクトップコンピュータ、ラップトップコンピュータ、ワークステーション、サーバデバイス、または同様のもの等の１つまたは複数の計算デバイスまたはプラットフォーム；例えば、携帯情報端末、モバイル通信デバイス、または同様のもの等の１つまたは複数のパーソナル計算または通信デバイスまたは機器；例えば、データベースまたはデータ記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システム等の計算システムまたは関連するサービスプロバイダ機能（service provider capability）；またはこれらの任意の組み合わせ。第１の、第２のおよび第３のデバイス１８０２、１８０４、および１８０６の何れも、それぞれ、ここに説明された例にしたがったアクセスポイントまたはモバイルデバイスのうちの１つまたは複数を備え得る。
【００４６】
[00051]  同様に、ワイヤレス通信ネットワークは、図９に示されるように、第１のデバイス１８０２、第２のデバイス１８０４、および第３のデバイス１８０６のうちの少なくとも２つの間でのデータの交換をサポートするように構成可能な、１つまたは複数の通信リンク、プロセス、またはリソースを表す。限定ではなく例として、ワイヤレス通信ネットワークは、ワイヤレスまたは有線の通信リンク、電話または電気通信システム、データバスまたはチャネル、光ファイバ、地上または宇宙ビークルリソース、ローカルエリアネットワーク、ワイドエリアネットワーク、イントラネット、インターネット、ルータまたはスイッチ、および同様のもの、あるいはこれらの任意の組み合わせを含み得る。例えば、第３のデバイス１８０６の部分的に隠されて例示されている破線のボックスによって例示されるように、ワイヤレス通信ネットワーク１８０８に動作可能に結合された追加的な同様のデバイスがあり得る。
【００４７】
[00052]  図９に示される様々なデバイスおよびネットワーク、ならびにここにさらに説明されるプロセスおよび方法のすべてまたは一部は、ハードウェア、ファームウェア、ソフトウェア、またはそれらの任意の組み合わせを使用してインプリメントされ得るか、またはさもなければそれらを含み得ることが、認識される（recognized）。
【００４８】
[00053]  したがって、限定ではなく例として、第２のデバイス１８０４は、バス１８２８を通してメモリ１８２２に動作可能に結合された少なくとも１つの処理ユニット１８２０を含み得る。
【００４９】
[00054]  処理ユニット１８２０は、データ計算プロシージャまたはプロセスの少なくとも一部を実行するように構成可能な１つまたは複数の回路を表す。限定ではなく例として、処理ユニット１８２０は、１つまたは複数のプロセッサ、コントローラ、マイクロプロセッサ、マイクロコントローラ、特定用途向け集積回路、デジタルシグナルプロセッサ、プログラム可能なロジックデバイス、フィールドプログラマブルゲートアレイ、および同様のもの、またはそれらの任意の組み合わせを含み得る。
【００５０】
[00055]  メモリ１８２２は、任意のデータストレージメカニズムを表す。メモリ１８２２は、例えば、プライマリメモリ１８２４またはセカンダリメモリ１８２６を含み得る。プライマリメモリ１８２４は、例えば、ランダムアクセスメモリ、読み取り専用メモリ等を含み得る。この例では、処理ユニット１８２０とは別々に例示されているが、プライマリメモリ１８２４のすべてまたは一部は、処理ユニット１８２０内に設けられるか（provided within）またはさもなければそれと併設（co-located）／結合され得ることが理解されるべきである。特定のインプリメンテーションでは、メモリ１８２２および処理ユニット１８２０は、図３および４に関連して上で説明されたプロセスの１つまたは複数の態様を実行するように構成され得る。
【００５１】
[00056]  例えば、セカンダリメモリ１８２６は、例えば、ディスクドライブ、光ディスクドライブ、テープドライブ、固体メモリドライブ等のようなプライマリメモリあるいは１つまたは複数のデータ記憶デバイスまたはシステムと同じか、または同様のタイプのメモリを、含み得る。ある特定のインプリメンテーションでは、セカンダリメモリ１８２６は、コンピュータ読み取り可能な媒体１８４０を動作可能に受け入れ得るか（operatively receptive of）、またはさもなければそれに結合するように、構成可能であり得る。コンピュータ読み取り可能な媒体１８４０は、例えば、システム１８００中の複数のデバイスのうちの１つまたは複数のためのアクセス可能なデータ、コード、または命令を搬送することができるかまたはそれらを作ることができる如何なる非一時的な媒体も、含み得る。コンピュータ読み取り可能な媒体１８４０はまた、記憶媒体とも称され得る。
【００５２】
[00057]  第２のデバイス１８０４は、例えば、少なくともアンテナ１８０８を通したワイヤレス通信ネットワークへの第２のデバイス１８０４の有効な結合（the operative coupling of）を提供するかまたはさもなければサポートする、通信インタフェース１８３０を、含み得る。限定ではなく例として、通信インタフェース１８３０は、ネットワークインタフェースデバイスまたはカード、モデム、ルータ、スイッチ、トランシーバ等を含み得る。他の代替のインプリメンテーションでは、通信インタフェース１８３０は、有線／ＬＡＮインタフェース、ワイヤレスＬＡＮインタフェース（例えば、ＩＥＥＥ  ｓｔｄ．８０２．１１ワイヤレスインタフェース）および／またはワイドエリアネットワーク（ＷＡＮ）エアインタフェースを備え得る。特定のインプリメンテーションでは、通信インタフェース１８３０と組み合わせたアンテナ１８０８は、図５および６に関連して実行されるアクション、または図３および４に例示されるような信号の送信および受信をインプリメントするために、使用され得る。
【００５３】
[00058]  １つの特定のインプリメンテーションでは、ＦＴＭ測定要求メッセージに応答してのＡＣＫメッセージの送信は、処理ユニット１８３０からの命令またはイニシエーションなしに、通信インタフェース１８３０において実行され得る。一方、ＦＴＭ距離報告メッセージは、（例えば、メモリ１８２０に記憶された１つまたは複数の機械読み取り可能な命令の実行から）処理ユニット１８２０のようなプログラム可能なデバイスにおいて、形成され得る。
【００５４】
[00059]  第２のデバイス１８０４は、例えば、入力／出力デバイス１８３２を含み得る。入力／出力デバイス１８３２は、人間または機械の入力を受け付ける（accept）またはさもなければ導入（introduce）するように構成可能であり得る１つまたは複数のデバイスまたは特徴、あるいは、人間または機械の出力を配信する（deliver）またはさもなければ提供するように構成可能であり得る１つまたは複数のデバイスまたは特徴を表す。限定ではなく例として、入力／出力デバイス１８３２は、動作可能に構成されたディスプレイ、スピーカ、キーボード、マウス、トラックボール、タッチスクリーン、データポート等を含み得る。
【００５５】
[00060]  ここで使用される場合、「アクセスポイント」という用語は、特許請求される主題の範囲はこの点に限定されないが、例えば、ワイヤレスローカルエリアネットワークのような、ワイヤレス通信システムにおいて通信を容易にするために使用される如何なるワイヤレス通信局および／またはデバイスも含むように意図される（meant to）。別の態様では、アクセスポイントは、例えば、ワイヤレスローカルエリアネットワーク（ＷＬＡＮ）アクセスポイントを備え得る。そのようなＷＬＡＮは、特許請求される主題の範囲はこの点に限定されないが、ある態様では、ＩＥＥＥ規格８０２．１１の１つまたは複数のバージョンと互換性があるおよび／またはそれに準拠するネットワークを備え得る。ＷＬＡＮアクセスポイントは、例えば、インターネットのようなネットワークと１つまたは複数のモバイルデバイスとの間の通信を提供し得る。
【００５６】
[00061]  ここで使用される場合、「モバイルデバイス」という用語は、変化するポジション位置（a position location）を時々有し得るデバイスを指す。ポジション位置のこの変化は、いくつかの例としては、方向、間隔、オリエンテーション等の変化を備え得る。特定の例では、モバイルデバイスは、セルラ電話、ワイヤレス通信デバイス、ユーザ装置、ラップトップコンピュータ、他のパーソナル通信システム（ＰＣＳ）デバイス、携帯情報端末（ＰＤＡ）、パーソナルオーディオデバイス（ＰＡＤ）、ポータブルナビゲーショナルデバイス、および／または他のポータブル通信デバイスを備え得る。モバイルデバイスはまた、機械読み取り可能な命令によって制御される機能を実行するように適合されるプロセッサおよび／または計算プラットフォームを備え得る。
【００５７】
[00062]  本明細書で説明された手法（methodologies）は、特定の例にしたがって、アプリケーションに応じて様々な手段でインプリメントされ得る。例えば、そのような手法は、ハードウェア、ファームウェア、ソフトウェア、またはそれらの組み合わせでインプリメントされ得る。ハードウェアインプリメンテーションの場合、例えば、処理ユニットは、１つまたは複数の特定用途向け集積回路（「ＡＳＩＣ」）、デジタルシグナルプロセッサ（「ＤＳＰ」）、デジタル信号処理デバイス（「ＤＳＰＤ」）、プログラム可能なロジックデバイス（「ＰＬＤ」）、フィールドプログラマブルゲートアレイ（「ＦＰＧＡ」）、プロセッサ、コントローラ、マイクロコントローラ、マイクロプロセッサ、電子デバイス、ここに説明された機能を実行するために設計されたその他のデバイスユニット、またはこれらの組み合わせにおいて、インプリメントされ得る。
【００５８】
[00063]  アルゴリズム的記述および／または記号表現は、信号処理および／または関連技術分野における当業者によって、彼らの作業の内容（substance of their work）を他の当業者に伝達するために使用される技法の例である。アルゴリズムは、本明細書では、そして一般には、所望の結果をもたらす演算および／または同様の信号処理の自己矛盾のないシーケンス（a self-consistent sequence）であると考えられる。この文脈では、演算および／または処理は、物理量（physical quantities）の物理的操作に関わる。必ずしもそうであるわけではないが、典型的には、そのような量（quantities）は、信号測定値、テキスト、イメージ、ビデオ、オーディオ等のような、様々な形態のコンテンツを表す電子信号および／または状態として、記憶、転送、組み合わせ、比較、処理またはそうでなければ操作されることが可能である、電子的および／または磁気的な信号および／または状態の形態をとり得る。そのような物理的な信号および／または物理的な状態を、ビット、値、要素、シンボル、文字、用語、番号、数字、メッセージ、フレーム、測定値、コンテンツ、および／または同様のものと称することは、主に共通使用の理由のために時に便利であることが、実証されている。しかしながら、これらのすべておよび／または同様の用語は、適切な物理量と関連付けられるものであり、それらは単なる便利なラベルに過ぎないことは理解されるべきである。そうでないことが明記されていない限り、上述の説明から明らかなように、本明細書全体を通して、「処理」、「計算」、「算出」、「決定」、「確立」、「取得」、「識別」、「選択」、「生成」および／または同様もののような用語を利用する説明は、特殊目的コンピュータおよび／または同様の特殊目的計算および／またはネットワークデバイスのような、特定の装置のアクションおよび／またはプロセスを指し得ることは理解される。したがって、本願の明細書の文脈では、特殊目的コンピュータおよび／または同様の特殊目的計算および／またはネットワークデバイスは、特殊目的コンピュータおよび／または同様の特殊目的計算および／またはネットワークデバイスのメモリ、レジスタ、および／または他の記憶デバイス、送信デバイス、および／またはディスプレイデバイス内の物理的な電子および／または磁気的な量として典型的に表される、信号および／または状態を、処理、操作、および／または変換することが、可能である。この特定の特許出願の文脈では、述べられたように、「特定の装置」という用語は、プログラムソフトウェアからの命令に準じて特定の機能を実行するようにプログラムされた時点から（once it is programmed to）、汎用コンピュータのような汎用計算および／またはネットワークデバイスを含み得る。
【００５９】
[00064]  状況によって、例えば、バイナリ１からバイナリゼロへのあるいはその逆の状態の変化のようなメモリデバイスの動作は、物理変換のような変換を備え得る。特定のタイプのメモリデバイスの場合、そのような物理変換は、物品（an article）の異なる状態または物（a different state or thing）への物理変換を備え得る。例えば、限定されるわけではないが、いくつかのタイプのメモリデバイスに関して、状態の変化は、電荷の蓄積および／または貯蔵あるいは貯蔵された電荷の解放に関わり得る。同様に、他のメモリデバイスでは、状態の変化は、結晶質から非結晶質あるいはその逆のような分子構造の物理変化および／または変換および／または帯磁方向の変換のような、物理変化を備え得る。さらに他のメモリデバイスでは、物理状態の変化は、重ねあわせ（superposition）、もつれ（entanglement）および／または同様のもののような量子力学の現象（quantum mechanical phenomena）に関わり得、それらは、例えば、量子ビット（qubits）に関わり得る。上記は、メモリデバイスにおけるバイナリ１からバイナリゼロへのあるいはその逆の状態の変化が物理変換のような変換を備え得るすべての例の、網羅的なリストであることを意図したものではない。むしろ、上記は、例示的な例として意図されている。
【００６０】
[00065]  ここに説明されたワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）などのような、様々なワイヤレス通信ネットワークに関連し得る。この文脈では、「ワイヤレス通信ネットワーク」は、１つまたは複数のワイヤレス通信リンクによって互いに通信する能力がある複数のデバイスまたはノードを備える。図１に示されるように、例えば、ワイヤレス通信ネットワークは、モバイルデバイス１００ａ、１００ｂ、１１５ａおよび１１５ｂからの２つ以上のデバイスを備え得る。「ネットワーク」および「システム」という用語は、本明細書では置換え可能に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、あるいは、上述のネットワークの任意の組合せ等であり得る。ＣＤＭＡネットワークは、ほんの少しの無線技術をあげるとすれば、ｃｄｍａ２０００、広帯域ＣＤＭＡ（「Ｗ−ＣＤＭＡ（登録商標）」）のような１つまたは複数の無線アクセス技術（「ＲＡＴ」）をインプリメントし得る。ここでは、ｃｄｍａ２０００は、ＩＳ−９５、ＩＳ−２０００、およびＩＳ−８５６規格にしたがってインプリメントされる技術を含み得る。ＴＤＭＡネットワークは、モバイル通信のためのグローバルシステム（「ＧＳＭ」）、デジタルアドバンストモバイル電話システム（Ｄ−ＡＭＰＳ：Digital Advanced Mobile Phone System）、または何らかの他のＲＡＴをインプリメントし得る。ＧＳＭおよびＷ−ＣＤＭＡは、「第３世代パートナーシッププロジェクト」（「３ＧＰＰ（登録商標）」）という名称のコンソーシアムからの文書に説明されている。ｃｄｍａ２０００は、「第３世代パートナーシッププロジェクト２」（「３ＧＰＰ２」）という名称のコンソーシアムからの文書に説明されている。３ＧＰＰおよび３ＧＰＰ２文書は、公的に入手可能である。４Ｇロングタームエボリューション（「ＬＴＥ」）通信ネットワークもまた、１つの態様において、特許請求される主題にしたがってインプリメントされ得る。ＷＬＡＮは、例えば、ＩＥＥＥ  ８０２．１１ｘネットワークを備え得、ＷＰＡＮは、Ｂｌｕｅｔｏｏｔｈネットワーク、ＩＥＥＥ８０２．１５ｘを備え得る。ここに説明されるワイヤレス通信インプリメンテーションはまた、ＷＷＡＮ、ＷＬＡＮまたはＷＰＡＮの如何なる組み合わせにも関連して使用され得る。
【００６１】
[00066]  別の態様では、前述したように、ワイヤレス送信機またはアクセスポイントは、ビジネスまたは家庭へとセルラ電話サービスを拡張するために利用されるフェムトセルを備え得る。そのようなインプリメンテーションでは、１つまたは複数のモバイルデバイスは、例えば、符号分割多元接続（「ＣＤＭＡ」）セルラ通信プロトコルを介してフェムトセルと通信し得、そのフェムトセルは、インターネットのような別の広帯域ネットワークによってより大きなセルラ電気通信ワークへのアクセスをモバイルデバイスに提供し得る。
【００６２】
[00067]  本明細書で説明された技法は、いくつかのＧＮＳＳおよび／またはＧＮＳＳの組み合わせのうちの何れか１つを含むＳＰＳと共に使用され得る。さらに、そのような技法は、「疑似衛星（pseudolites）」として機能する地上送信機、またはＳＶとそのような地上送信機との組み合わせを利用するポジショニングシステムと共に使用され得る。地上送信機は、例えば、ＰＮコードまたは他の測距コード（例えば、ＧＰＳまたはＣＤＭＡセルラ信号と同様の）をブロードキャストする地上ベースの送信機を含み得る。そのような送信機は、遠隔受信機による識別（identification）を可能にするように、固有のＰＮコードを割り当てられ得る。地上送信機は、例えば、トンネル、鉱山、建物、都市ビルの谷間（urban canyons）または他の囲まれたエリア内などの、軌道上のＳＶからのＳＰＳ信号が利用できない可能性がある状況においてＳＰＳを増強するために、有用であり得る。疑似衛星の別のインプリメンテーションは、無線ビーコンとして知られている。本明細書で使用される場合、「ＳＶ」という用語は、疑似衛星、疑似衛星の同等物、および場合によっては他のものとして機能する地上送信機を含むように意図される。本明細書で使用される場合、「ＳＰＳ信号」および／または「ＳＶ信号」という用語は、疑似衛星または疑似衛星の同等物として機能する地上送信機を含む地上送信機からの、ＳＰＳのような信号（SPS-like signals）を含むように意図される。
【００６３】
[00068]  同様に、この文脈では、「結合された（coupled）」、「接続された（connected）」という用語および／または同様の用語は、一般的に使用される。これらの用語は、同義語として意図されていないことは理解されるべきである。むしろ、「接続された（connected）」は、一般に、２つ以上のコンポーネントが、例えば、直接、電気的なものを含んだ物理な接触をすることを示すために使用され、一方、「結合された（coupled）」は、一般に、２つ以上のコンポーネントが潜在的に直接、電気的なものを含んだ物理的な接触をすることを意味して使用されるが、しかしながら、「結合された（coupled）」はまた、一般に、２つ以上のコンポーネントが必ずしも直接的に接触しているわけではないがしかしながらそれでもなお協力（co-operate）および／または相互作用することができることを意味するようにも、使用される。「結合された（coupled）」という用語はまた、一般に、例えば、適切な文脈において、間接的に接続されていることを意味するようにも理解される。
【００６４】
[00069]  ここで使用される場合「および」、「または」、「および／または」および／または同様の用語は、このような用語が使用される特定の文脈に少なくとも部分的に依存することも予想される多様な意味を含む。典型的に、「または」がＡ、Ｂ、またはＣなどの列挙を関連付けるために使用される場合、包含的な意味で使用される場合は、Ａ、Ｂ、およびＣを意味し、ならびに、排他的な意味で使用される場合は、Ａ、Ｂ、またはＣを意味するように意図される。加えて、「１つまたは複数の」という用語および／または同様の用語は、単数の任意の特徴、構造および／または特性を説明するために使用される、および／または、それはまた複数の特徴、複数の構造および／または複数の特性の、複数のおよび／または何らかの他の組み合わせを説明するためにも使用される。同様に、「に基づいて」という用語および／または同様の用語は、ファクタの排他的なセットを伝えようには必ずしも意図されてはおらず、むしろ、必ずしも明示的に説明されない追加的なファクタの存在を許容するように意図されているものと理解される。当然ながら、前述のすべての事柄に関して、説明および／または使用の特定の文脈は、引き出されるべき因果関係に関する有益なガイダンスを提供する。以下の説明は、単に１つまたは複数の例示的な例を提供しているに過ぎず、特許請求される主題は、これらの１つまたは複数の例に限定されないことことに留意されたい；しかしながら、繰り返しになるが、説明および／または使用の特定の文脈は、引き出されるべき因果関係に関する有益なガイダンスを提供する。
【００６５】
[00070]  この文脈では、ネットワークデバイスという用語は、ネットワークの一部としておよび／またはそれを介して通信する能力がある如何なるデバイスも指し、それは計算デバイスを備え得る。ネットワークデバイスは、有線および／またはワイヤレスネットワークを介するなどして、信号（例えば、信号パケットおよび／またはフレーム）を送るおよび／または受信することが可能であり得ると同時に、それらはまた、物理メモリ状態としてのメモリなどにおいて信号を記憶および／または処理すること、算術および／または論理演算を実行すること、が可能であり得、および／または、例えば、様々な実施形態において、サーバとして動作し得る。ネットワークデバイスは、サーバとして動作する能力があるか、またはそうでなければ、例として、専用ラックマウント方式のサーバ、デスクトップコンピュータ、ラップトップコンピュータ、セットトップボックス、タブレット、ネットブック、スマートフォン、ウェアラブルデバイス、前述のデバイスの２つ以上の特徴を組み合わせた統合デバイス、そのようなもの、またはそれらの如何なる組み合わせを、含み得る。例えば、信号パケットおよび／またはフレームは、例えばワイヤレスネットワークを介して結合された複数のワイヤレスデバイス間を含む、サーバおよびクライアントデバイスおよび／または他のタイプのネットワークデバイス間などの間で、交換され得る。サーバ、サーバデバイス、サーバ計算デバイス、サーバ計算プラットフォームという用語および／または同様の用語は、置換え可能に使用されることに留意されたい。同様に、クライアント、クライアントデバイス、クライアント計算デバイス、クライアント計算プラットフォームという用語および／または同様の用語もまた、置換え可能に使用される。いくつかの事例では、説明を容易にするために、これらの用語は、「クライアントデバイス」（a “client device”）または「サーバデバイス」（a “server device”）などと呼んで単数形で使用され得るが、本説明は、必要に応じて、１つまたは複数のクライアントデバイスおよび／または１つまたは複数のサーバデバイスを包含するように意図される。似たようなものとして、「データベース」（a “database”）への言及は、必要に応じて１つまたは複数のデータベースおよび／またはそれらの一部を意味するように理解される。
【００６６】
[00071]  説明を容易にするために、ネットワークデバイス（ネットワーキングデバイスとも称される）は、計算デバイスという観点で具現化され得るおよび／またはそれで説明され得ることは理解されるべきである。しかしながら、本説明は、特許請求される主題が計算デバイスおよび／またはネットワークデバイスのような１つの実施形態に限定されるようには決して解釈されるべきではく、代わりに、それは例えば１つまたは複数の例示的な例を含む多様なデバイスまたはそれらの組み合わせとして具現化され得る、ということはさらに理解されるべきである。
【００６７】
[00072]  本明細書全体を通じた１つのインプリメンテーション、あるインプリメンテーション、１つの実施形態、ある実施形態および／または同様のものへの参照は、特定のインプリメンテーションおよび／または実施形態に関連して説明された特定の特徴、構造、および／または特性が、特許請求される主題の少なくとも１つのインプリメンテーションおよび／または実施形態に含まれることを意味する。したがって、例えば、本願の明細書全体を通じた様々な箇所におけるそのような表現の出現は、必ずしも、説明された任意の１つの特定のインプリメンテーションをまたは同じインプリメンテーションを指していることを意図したものではない。さらに、説明された特定の特徴、構造、および／または特性は、１つまたは複数のインプリメンテーションにおいて様々な方法で組み合わせられることが可能であり、故に、それらは、例えば、意図される本願の特許請求の範囲内にあることは理解されるべきである。一般に、当然ながら、これらのおよび他の問題は、文脈によって変わる。したがって、説明および／または使用の特定の文脈は、引き出されるべき因果関係に関する有益なガイダンスを提供する。
【００６８】
[00073]  例示的な特徴であると現時点で考えられるものが例示および説明されているが、当業者には、特許請求される主題から逸脱することなく、様々な他の修正が成され得、同等物が代用され得ることは、理解されることになる。加えて、本明細書で説明された中心概念から逸脱することなく、特許請求される主題の教示に特定の状況を適合させるために、多くの修正が行なわれ得る。したがって、特許請求される主題は開示された特定の例に限定されないこと、また、そのような特許請求される主題はまた、添付の特許請求の範囲の範囲内に入るすべての態様およびその均等物も含み得ることが、意図されている。
【図１】
2017520758.tif 000003
【図２】
2017520758.tif 000004
【図３】
2017520758.tif 000005
【図４】
2017520758.tif 000006
【図５】
2017520758.tif 000007
【図６】
2017520758.tif 000008
【図７】
2017520758.tif 000009
【図８】
2017520758.tif 000010
【図９】
2017520758.tif 000011
【図１０】
2017520758.tif 000012
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
開始ワイヤレス局（ＳＴＡ）において、ファインタイミング測定値を取得するための方法であって、
ファインタイミング測定（ＦＴＭ）要求メッセージを応答ＳＴＡに送信することと、前記ＦＴＭ要求メッセージは、前記開始ＳＴＡが測距パラメータを前記応答ＳＴＡと共有する能力を示す、
前記ＦＴＭ要求メッセージに応答した前記応答ＳＴＡからの１つまたは複数のＦＴＭメッセージを、受信することと、
前記１つまたは複数のＦＴＭメッセージのうちの少なくとも１つの送信の時間と、前記１つまたは複数のＦＴＭメッセージに応答して送信された少なくとも１つの肯定応答メッセージの受信の時間とに少なくとも部分的に基づいて、前記開始ＳＴＡと前記応答ＳＴＡとの間の距離を示す１つまたは複数のパラメータを決定することと、
前記１つまたは複数のパラメータを含む１つまたは複数のＦＴＭ距離報告メッセージを、前記応答ＳＴＡに送信することと、
を備える方法。
【請求項２】
前記開始ＳＴＡから受信された前記１つまたは複数のＦＴＭメッセージのうちの１つのＦＴＭメッセージの受信に応答して、肯定応答（ＡＣＫ）メッセージを前記応答ＳＴＡに送信すること、
をさらに備える、請求項１に記載の方法。
【請求項３】
前記ＦＴＭ要求メッセージを前記応答ＳＴＡに送信することは、前記応答ＳＴＡから送信されたＦＴＭ距離要求メッセージの受信に応答して、前記ＦＴＭ要求メッセージを送信することを備える、請求項１に記載の方法。
【請求項４】
前記送信された１つまたは複数のＦＴＭ距離報告メッセージは、前記開始ＳＴＡから前記応答ＳＴＡ以外の１つまたは複数のワイヤレストランシーバデバイスへの間隔を示す１つまたは複数のパラメータを含む、請求項１に記載の方法。
【請求項５】
前記１つまたは複数のＦＴＭ距離報告メッセージのうちの少なくとも１つは、前記応答ＳＴＡ以外の前記１つまたは複数のワイヤレストランシーバデバイスのうちの少なくとも１つに固有のＢＳＳＩＤ値を備える、請求項４に記載の方法。
【請求項６】
前記１つまたは複数のＦＴＭ距離報告メッセージのうちの少なくとも１つは、各ワイヤレストランシーバデバイスに関する距離エントリフィールドであって、それに関し前記ワイヤレストランシーバデバイスと前記開始ＳＴＡとの間の間隔を示すパラメータが前記１つまたは複数のＦＴＭ距離報告メッセージのうちの前記少なくとも１つにおいて提供される、各ワイヤレストランシーバデバイスに関する距離エントリフィールドを備える、請求項１に記載の方法。
【請求項７】
前記距離エントリフィールドは、設定された数のバイトを備え、ここにおいて、前記ワイヤレストランシーバデバイスと前記開始ＳＴＡとの間の前記間隔を示す前記パラメータのうちの少なくとも１つは、数分の１メートルと表される、請求項６に記載の方法。
【請求項８】
前記距離を示す前記パラメータの単位は、「最大距離エラー」フィールド中のバイトの状態に少なくとも部分的に基づいて決定される、請求項７に記載の方法。
【請求項９】
開始ワイヤレス局（ＳＴＡ）であって、
ワイヤレス通信ネットワークにメッセージを送信するおよびワイヤレス通信ネットワークからメッセージを受信するためのトランシーバと、
前記トランシーバを通した応答ＳＴＡへのファインタイミング測定（ＦＴＭ）要求メッセージの送信を開始することと、前記ＦＴＭ要求メッセージは、前記開始ＳＴＡが測距パラメータを前記応答ＳＴＡと共有する能力を示す、
前記ＦＴＭ要求メッセージに応答した前記応答ＳＴＡからの、前記トランシーバにおいて受信された１つまたは複数のＦＴＭメッセージを取得することと、
前記１つまたは複数のＦＴＭメッセージのうちの少なくとも１つの送信の時間と、前記１つまたは複数のＦＴＭメッセージに応答して送信された少なくとも１つの肯定応答メッセージの受信の時間とに少なくとも部分的に基づいて、前記開始ＳＴＡと前記応答ＳＴＡとの間の距離を示す１つまたは複数のパラメータを決定することと、
前記トランシーバを通した前記応答ＳＴＡへの前記１つまたは複数のパラメータを含む１つまたは複数のＦＴＭ距離報告メッセージの送信を開始することと、
を行うように構成される１つまたは複数のプロセッサと、
を備える、開始ワイヤレス局（ＳＴＡ）。
【請求項１０】
前記ＦＴＭ要求メッセージは、前記応答ＳＴＡから送信されたＦＴＭ距離要求メッセージの受信に応答して、前記応答ＳＴＡに送信される、請求項９に記載の開始ＳＴＡ。
【請求項１１】
前記送信された１つまたは複数のＦＴＭ距離報告メッセージは、前記開始ＳＴＡと前記応答ＳＴＡ以外の１つまたは複数のワイヤレストランシーバデバイスとの間の間隔を示す１つまたは複数のパラメータを含む、請求項９に記載の開始ＳＴＡ。
【請求項１２】
前記１つまたは複数のＦＴＭ距離報告メッセージのうちの少なくとも１つは、前記応答ＳＴＡ以外の前記１つまたは複数のワイヤレストランシーバデバイスのうちの少なくとも１つに固有のＢＳＳＩＤ値を備える、請求項１１に記載の開始ＳＴＡ。
【請求項１３】
前記１つまたは複数のＦＴＭ距離報告メッセージのうちの少なくとも１つは、各ワイヤレストランシーバデバイスに関する距離エントリフィールドであって、それに関し前記ワイヤレストランシーバデバイスと前記開始ＳＴＡとの間の間隔を示すパラメータが前記１つまたは複数のＦＴＭ距離報告メッセージのうちの前記少なくとも１つにおいて提供される、各ワイヤレストランシーバデバイスに関する距離エントリフィールドを備える、請求項９に記載の開始ＳＴＡ。
【請求項１４】
前記距離エントリフィールドは、設定された数のバイトを備え、ここにおいて、前記ワイヤレストランシーバデバイスと前記開始ＳＴＡとの間の前記間隔を示す１つまたは複数のパラメータは、数分の１メートルと表される、請求項１３に記載の開始ＳＴＡ。
【請求項１５】
前記距離を示す前記パラメータの単位は、「最大距離エラー」フィールド中のバイトの状態に少なくとも部分的に基づいて決定される、請求項１４に記載の開始ＳＴＡ。
【請求項１６】
応答ワイヤレス局（ＳＴＡ）において、ファインタイミング測定値を取得するための方法であって、
開始ＳＴＡからファインタイミング測定（ＦＴＭ）要求メッセージを受信することと、前記ＦＴＭ要求メッセージは、前記開始ＳＴＡが距離測定値を前記応答ＳＴＡと共有する能力を示す、
前記ＦＴＭ要求メッセージに応答して、１つまたは複数のＦＴＭメッセージを前記開始ＳＴＡに送信することと、
距離を示す１つまたは複数のパラメータを含む１つまたは複数のＦＴＭ距離報告メッセージを、前記開始ＳＴＡから受信することと、前記１つまたは複数のパラメータは、前記送信された１つまたは複数のＦＴＭメッセージのうちの少なくとも１つの送信の時間と、前記送信された１つまたは複数のＦＴＭメッセージに応答して送信された少なくとも１つの肯定応答メッセージの受信の時間とに少なくとも部分的に基づいて前記開始ＳＴＡにおいて決定される、
を備える、方法。
【請求項１７】
前記ＦＴＭ要求メッセージの送信に先立って、ＦＴＭ距離要求メッセージを前記開始ＳＴＡに送信することをさらに備える、請求項１６に記載の方法。
【請求項１８】
前記１つまたは複数のＦＴＭ距離報告メッセージは、前記開始ＳＴＡと前記応答ＳＴＡ以外の１つまたは複数のワイヤレストランシーバデバイスの間の間隔を示す１つまたは複数の追加的なパラメータを含む、請求項１６に記載の方法。
【請求項１９】
前記１つまたは複数のＦＴＭ距離報告メッセージのうちの少なくとも１つは、前記開始ＳＴＡ以外の前記１つまたは複数のワイヤレストランシーバデバイスのうちの少なくとも１つに固有のＢＳＳＩＤ値を備える、請求項１８に記載の方法。
【請求項２０】
前記１つまたは複数のＦＴＭ距離報告メッセージのうちの少なくとも１つは、各ワイヤレストランシーバデバイスに関する距離エントリフィールドであって、それに関し前記ワイヤレストランシーバデバイスと前記開始ＳＴＡとの間の間隔を示すパラメータが前記１つまたは複数のＦＴＭ距離報告メッセージのうちの前記少なくとも１つにおいて提供される、各ワイヤレストランシーバデバイスに関する距離エントリフィールドを備える、請求項１６に記載の方法。
【請求項２１】
前記距離エントリフィールドは、設定された数のバイトを備え、ここにおいて、前記ワイヤレストランシーバデバイスと前記開始ＳＴＡとの間の前記間隔を示す前記パラメータのうちの前記１つまたは複数のうちの少なくとも１つは、数分の１メートルと表される、請求項２０に記載の方法。
【請求項２２】
前記距離を示す前記パラメータの単位は、「最大距離エラー」フィールド中のバイトの状態に少なくとも部分的に基づいて決定される、請求項２１に記載の方法。
【請求項２３】
前記１つまたは複数のＦＴＭメッセージは、前記ＦＴＭ要求メッセージにおける、前記開始ＳＴＡが距離測定値を前記応答ＳＴＡと共有する前記能力のインジケーションの存在にさらに応答して、送信される、請求項１６に記載の方法。
【請求項２４】
応答ワイヤレス局（ＳＴＡ）であって、
ワイヤレス通信ネットワークにメッセージを送信するおよびワイヤレス通信ネットワークからメッセージを受信するためのトランシーバと、
前記トランシーバにおいて開始ＳＴＡから受信されたファインタイミング測定（ＦＴＭ）要求メッセージを取得することと、前記ＦＴＭ要求メッセージは、前記開始ＳＴＡが距離測定値を前記応答ＳＴＡと共有する能力を示す、
前記ＦＴＭ要求メッセージに応答して、前記開始ＳＴＡへの前記トランシーバを通した１つまたは複数のＦＴＭメッセージの送信を開始することと、
距離を示す１つまたは複数のパラメータを含む、前記トランシーバにおいて前記開始ＳＴＡから受信された１つまたは複数のＦＴＭ距離報告メッセージを取得することと、前記１つまたは複数のパラメータは、前記送信された１つまたは複数のＦＴＭメッセージのうちの少なくとも１つの送信の時間と、前記送信された１つまたは複数のＦＴＭメッセージに応答して送信された少なくとも１つの肯定応答メッセージの受信の時間とに少なくとも部分的に基づいて、前記開始ＳＴＡにおいて決定される、
を行うように構成される１つまたは複数のプロセッサと、
を備える、応答ワイヤレス局（ＳＴＡ）。
【請求項２５】
前記１つまたは複数のＦＴＭ距離報告メッセージのうちの少なくとも１つは、少なくとも、前記開始ＳＴＡと前記応答ＳＴＡとの間の第１の距離と、前記開始ＳＴＡと少なくとも１つの他のワイヤレストランシーバデバイスとの間の第２の距離とを含む、測定された距離を備える、請求項２４に記載の応答ＳＴＡ。
【請求項２６】
前記１つまたは複数のＦＴＭ距離報告メッセージは、前記開始ＳＴＡと前記応答ＳＴＡ以外の１つまたは複数のワイヤレストランシーバデバイスとの間の間隔を示す１つまたは複数の追加的なパラメータを含む、請求項２４に記載の応答ＳＴＡ。
【請求項２７】
前記１つまたは複数のＦＴＭ距離報告メッセージのうちの少なくとも１つは、前記開始ＳＴＡ以外の前記１つまたは複数のワイヤレストランシーバデバイスのうちの少なくとも１つに固有のＢＳＳＩＤ値を備える、請求項２６に記載の応答ＳＴＡ。
【請求項２８】
前記１つまたは複数のプロセッサは、前記ＦＴＭ要求メッセージの送信に先立って、前記開始ＳＴＡへの前記トランシーバを通したＦＴＭ距離要求メッセージの送信を開始するようにさらに構成される、請求項２４に記載の応答ＳＴＡ。
【請求項２９】
前記ＦＴＭ要求メッセージは、前記ＦＴＭ要求メッセージが、前記ＦＴＭ要求メッセージの特定のフィールドに埋め込まれている前記距離を示す前記１つまたは複数のパラメータを備えることを示す、トリガフィールドにおける値を備える、請求項２４に記載の応答ＳＴＡ。
【手続補正２】
【補正対象書類名】明細書
【補正対象項目名】００６８
【補正方法】変更
【補正の内容】
【００６８】
[00073]  例示的な特徴であると現時点で考えられるものが例示および説明されているが、当業者には、特許請求される主題から逸脱することなく、様々な他の修正が成され得、同等物が代用され得ることは、理解されることになる。加えて、本明細書で説明された中心概念から逸脱することなく、特許請求される主題の教示に特定の状況を適合させるために、多くの修正が行なわれ得る。したがって、特許請求される主題は開示された特定の例に限定されないこと、また、そのような特許請求される主題はまた、添付の特許請求の範囲の範囲内に入るすべての態様およびその均等物も含み得ることが、意図されている。
以下に、本願出願の当初の特許請求の範囲に記載された発明を付記する。
［Ｃ１］
開始ワイヤレス局（ＳＴＡ）において、ファインタイミング測定値を取得するための方法であって、
ファインタイミング測定（ＦＴＭ）要求メッセージを応答ＳＴＡに送信することと、前記ＦＴＭ要求メッセージは、前記開始ＳＴＡが測距パラメータを前記応答ＳＴＡと共有する能力を示す、
前記ＦＴＭ要求メッセージに応答した前記応答ＳＴＡからの１つまたは複数のＦＴＭメッセージを、受信することと、
前記１つまたは複数のＦＴＭメッセージに少なくとも部分的に基づいて、前記開始ＳＴＡと前記応答ＳＴＡとの間の距離を示す１つまたは複数のパラメータを計算することと、
前記１つまたは複数のパラメータを含む１つまたは複数のＦＴＭ距離報告メッセージを、前記応答ＳＴＡに送信することと、
を備える方法。
［Ｃ２］
前記開始ＳＴＡから受信された前記１つまたは複数のＦＴＭメッセージのうちの１つのＦＴＭメッセージの受信に応答して、肯定応答（ＡＣＫ）メッセージを前記応答ＳＴＡに送信すること、
をさらに備える、Ｃ１に記載の方法。
［Ｃ３］
前記ＦＴＭ要求メッセージを前記応答ＳＴＡに送信することは、前記応答ＳＴＡから送信されたＦＴＭ距離要求メッセージの受信に応答して、前記ＦＴＭ要求メッセージを送信することを備える、Ｃ１に記載の方法。
［Ｃ４］
前記送信された１つまたは複数のＦＴＭ距離報告メッセージは、前記開始ＳＴＡから前記応答ＳＴＡ以外の１つまたは複数のワイヤレストランシーバデバイスへの間隔を示す１つまたは複数のパラメータを含む、Ｃ１に記載の方法。
［Ｃ５］
前記１つまたは複数のＦＴＭ距離報告メッセージのうちの少なくとも１つは、前記応答ＳＴＡ以外の前記１つまたは複数のワイヤレストランシーバデバイスのうちの少なくとも１つに固有のＢＳＳＩＤ値を備える、Ｃ４に記載の方法。
［Ｃ６］
前記１つまたは複数のＦＴＭ距離報告メッセージのうちの少なくとも１つは、各ワイヤレストランシーバデバイスに関する距離エントリフィールドであって、それに関し前記ワイヤレストランシーバデバイスと前記開始ＳＴＡとの間の間隔を示すパラメータが前記１つまたは複数のＦＴＭ距離報告メッセージのうちの前記少なくとも１つにおいて提供される、各ワイヤレストランシーバデバイスに関する距離エントリフィールドを備える、Ｃ１に記載の方法。
［Ｃ７］
前記距離エントリフィールドは、設定された数のバイトを備え、ここにおいて、前記ワイヤレストランシーバデバイスと前記開始ＳＴＡとの間の前記間隔を示す前記パラメータのうちの少なくとも１つは、数分の１メートルと表される、Ｃ６に記載の方法。
［Ｃ８］
前記距離を示す前記パラメータの単位は、「最大距離エラー」フィールド中のバイトの状態に少なくとも部分的に基づいて決定される、Ｃ７に記載の方法。
［Ｃ９］
開始ワイヤレス局（ＳＴＡ）であって、
ワイヤレス通信ネットワークにメッセージを送信するおよびワイヤレス通信ネットワークからメッセージを受信するためのトランシーバと、
前記トランシーバを通した応答ＳＴＡへのファインタイミング測定（ＦＴＭ）要求メッセージの送信を開始することと、前記ＦＴＭ要求メッセージは、前記開始ＳＴＡが測距パラメータを前記応答ＳＴＡと共有する能力を示す、
前記ＦＴＭ要求メッセージに応答した前記応答ＳＴＡからの、前記トランシーバにおいて受信された１つまたは複数のＦＴＭメッセージを取得することと、
前記１つまたは複数のＦＴＭメッセージに少なくとも部分的に基づいて、前記開始ＳＴＡと前記応答ＳＴＡとの間の距離を示す１つまたは複数のパラメータを計算することと、
前記トランシーバを通した前記応答ＳＴＡへの前記１つまたは複数のパラメータを含む１つまたは複数のＦＴＭ距離報告メッセージの送信を開始することと、
を行うように構成される１つまたは複数のプロセッサと、
を備える、開始ワイヤレス局（ＳＴＡ）。
［Ｃ１０］
前記ＦＴＭ要求メッセージは、前記応答ＳＴＡから送信されたＦＴＭ距離要求メッセージの受信に応答して、前記応答ＳＴＡに送信される、Ｃ９に記載の開始ＳＴＡ。
［Ｃ１１］
前記送信された１つまたは複数のＦＴＭ距離報告メッセージは、前記開始ＳＴＡと前記応答ＳＴＡ以外の１つまたは複数のワイヤレストランシーバデバイスとの間の間隔を示す１つまたは複数のパラメータを含む、Ｃ９に記載の開始ＳＴＡ。
［Ｃ１２］
前記１つまたは複数のＦＴＭ距離報告メッセージのうちの少なくとも１つは、前記応答ＳＴＡ以外の前記１つまたは複数のワイヤレストランシーバデバイスのうちの少なくとも１つに固有のＢＳＳＩＤ値を備える、Ｃ１１に記載の開始ＳＴＡ。
［Ｃ１３］
前記１つまたは複数のＦＴＭ距離報告メッセージのうちの少なくとも１つは、各ワイヤレストランシーバデバイスに関する距離エントリフィールドであって、それに関し前記ワイヤレストランシーバデバイスと前記開始ＳＴＡとの間の間隔を示すパラメータが前記１つまたは複数のＦＴＭ距離報告メッセージのうちの前記少なくとも１つにおいて提供される、各ワイヤレストランシーバデバイスに関する距離エントリフィールドを備える、Ｃ９に記載の開始ＳＴＡ。
［Ｃ１４］
前記距離エントリフィールドは、設定された数のバイトを備え、ここにおいて、前記ワイヤレストランシーバデバイスと前記開始ＳＴＡとの間の前記間隔を示す１つまたは複数のパラメータは、数分の１メートルと表される、Ｃ１３に記載の開始ＳＴＡ。
［Ｃ１５］
前記距離を示す前記パラメータの単位は、「最大距離エラー」フィールド中のバイトの状態に少なくとも部分的に基づいて決定される、Ｃ１４に記載の開始ＳＴＡ。
［Ｃ１６］
応答ワイヤレス局（ＳＴＡ）において、ファインタイミング測定値を取得するための方法であって、
開始ＳＴＡからファインタイミング測定（ＦＴＭ）要求メッセージを受信することと、前記ＦＴＭ要求メッセージは、前記開始ＳＴＡが距離測定値を前記応答ＳＴＡと共有する能力を示す、
前記ＦＴＭ要求メッセージに応答して、１つまたは複数のＦＴＭメッセージを前記開始ＳＴＡに送信することと、
距離を示す１つまたは複数のパラメータを含む１つまたは複数のＦＴＭ距離報告メッセージを、前記開始ＳＴＡから受信することと、前記１つまたは複数のパラメータは、前記送信された１つまたは複数のＦＴＭメッセージに少なくとも部分的に基づいて前記開始ＳＴＡにおいて計算される、
を備える、方法。
［Ｃ１７］
前記ＦＴＭ要求メッセージの送信に先立って、ＦＴＭ距離要求メッセージを前記開始ＳＴＡに送信することをさらに備える、Ｃ１６に記載の方法。
［Ｃ１８］
前記１つまたは複数のＦＴＭ距離報告メッセージは、前記開始ＳＴＡと前記応答ＳＴＡ以外の１つまたは複数のワイヤレストランシーバデバイスの間の間隔を示す１つまたは複数の追加的なパラメータを含む、Ｃ１６に記載の方法。
［Ｃ１９］
前記１つまたは複数のＦＴＭ距離報告メッセージのうちの少なくとも１つは、前記開始ＳＴＡ以外の前記１つまたは複数のワイヤレストランシーバデバイスのうちの少なくとも１つに固有のＢＳＳＩＤ値を備える、Ｃ１８に記載の方法。
［Ｃ２０］
前記１つまたは複数のＦＴＭ距離報告メッセージのうちの少なくとも１つは、各ワイヤレストランシーバデバイスに関する距離エントリフィールドであって、それに関し前記ワイヤレストランシーバデバイスと前記開始ＳＴＡとの間の間隔を示すパラメータが前記１つまたは複数のＦＴＭ距離報告メッセージのうちの前記少なくとも１つにおいて提供される、各ワイヤレストランシーバデバイスに関する距離エントリフィールドを備える、Ｃ１６に記載の方法。
［Ｃ２１］
前記距離エントリフィールドは、設定された数のバイトを備え、ここにおいて、前記ワイヤレストランシーバデバイスと前記開始ＳＴＡとの間の前記間隔を示す前記パラメータのうちの前記１つまたは複数のうちの少なくとも１つは、数分の１メートルと表される、Ｃ２０に記載の方法。
［Ｃ２２］
前記距離を示す前記パラメータの単位は、「最大距離エラー」フィールド中のバイトの状態に少なくとも部分的に基づいて決定される、Ｃ２１に記載の方法。
［Ｃ２３］
前記１つまたは複数のＦＴＭメッセージは、前記ＦＴＭ要求メッセージにおける、前記開始ＳＴＡが距離測定値を前記応答ＳＴＡと共有する前記能力のインジケーションの存在にさらに応答して、送信される、Ｃ１６に記載の方法。
［Ｃ２４］
応答ワイヤレス局（ＳＴＡ）であって、
ワイヤレス通信ネットワークにメッセージを送信するおよびワイヤレス通信ネットワークからメッセージを受信するためのトランシーバと、
前記トランシーバにおいて開始ＳＴＡから受信されたファインタイミング測定（ＦＴＭ）要求メッセージを取得することと、前記ＦＴＭ要求メッセージは、前記開始ＳＴＡが距離測定値を前記応答ＳＴＡと共有する能力を示す、
前記ＦＴＭ要求メッセージに応答して、前記開始ＳＴＡへの前記トランシーバを通した１つまたは複数のＦＴＭメッセージの送信を開始することと、
距離を示す１つまたは複数のパラメータを含む、前記トランシーバにおいて前記開始ＳＴＡから受信された１つまたは複数のＦＴＭ距離報告メッセージを取得することと、前記１つまたは複数のパラメータは、前記送信された１つまたは複数のＦＴＭメッセージに少なくとも部分的に基づいて、前記開始ＳＴＡにおいて計算される、
を行うように構成される１つまたは複数のプロセッサと、
を備える、応答ワイヤレス局（ＳＴＡ）。
［Ｃ２５］
前記１つまたは複数のＦＴＭ距離報告メッセージのうちの少なくとも１つは、少なくとも、前記開始ＳＴＡと前記応答ＳＴＡとの間の第１の距離と、前記開始ＳＴＡと少なくとも１つの他のワイヤレストランシーバデバイスとの間の第２の距離とを含む、測定された距離を備える、Ｃ２４に記載の応答ＳＴＡ。
［Ｃ２６］
前記１つまたは複数のＦＴＭ距離報告メッセージは、前記開始ＳＴＡと前記応答ＳＴＡ以外の１つまたは複数のワイヤレストランシーバデバイスとの間の間隔を示す１つまたは複数の追加的なパラメータを含む、Ｃ２４に記載の応答ＳＴＡ。
［Ｃ２７］
前記１つまたは複数のＦＴＭ距離報告メッセージのうちの少なくとも１つは、前記開始ＳＴＡ以外の前記１つまたは複数のワイヤレストランシーバデバイスのうちの少なくとも１つに固有のＢＳＳＩＤ値を備える、Ｃ２６に記載の応答ＳＴＡ。
［Ｃ２８］
前記１つまたは複数のプロセッサは、前記ＦＴＭ要求メッセージの送信に先立って、前記開始ＳＴＡへの前記トランシーバを通したＦＴＭ距離要求メッセージの送信を開始するようにさらに構成される、Ｃ２４に記載の応答ＳＴＡ。
［Ｃ２９］
前記ＦＴＭ要求メッセージは、前記ＦＴＭ要求メッセージが、前記ＦＴＭ要求メッセージの特定のフィールドに埋め込まれている前記距離を示す前記１つまたは複数のパラメータを備えることを示す、トリガフィールドにおける値を備える、Ｃ２４に記載の応答ＳＴＡ。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
開始ワイヤレス局（ＳＴＡ）において、ファインタイミング測定値を取得するための方法であって、
ファインタイミング測定（ＦＴＭ）要求メッセージを応答ＳＴＡに送信することと、前記ＦＴＭ要求メッセージは、前記開始ＳＴＡが少なくとも１つの測距パラメータを前記応答ＳＴＡと共有する能力を示し、前記少なくとも１つの測距パラメータは、少なくとも１つのペアのデバイス間の１つまたは複数の間隔を示す１つまたは複数のパラメータを備える、
前記ＦＴＭ要求メッセージに応答した前記応答ＳＴＡからの１つまたは複数のＦＴＭメッセージを、受信することと、
前記１つまたは複数のＦＴＭメッセージのうちの少なくとも１つの送信の時間に少なくとも部分的に基づいて、前記開始ＳＴＡと前記応答ＳＴＡとの間の距離を示す１つまたは複数のパラメータを決定することと、
前記１つまたは複数のパラメータを含む１つまたは複数のＦＴＭ距離報告メッセージを、前記応答ＳＴＡに送信することと、
を備える方法。
【請求項２】
前記応答ＳＴＡから受信された前記１つまたは複数のＦＴＭメッセージのうちの１つのＦＴＭメッセージの受信に応答して、肯定応答（ＡＣＫ）メッセージを前記応答ＳＴＡに送信すること、
をさらに備える、請求項１に記載の方法。
【請求項３】
前記ＦＴＭ要求メッセージを前記応答ＳＴＡに送信することは、前記応答ＳＴＡから送信されたＦＴＭ距離要求メッセージの受信に応答して、前記ＦＴＭ要求メッセージを送信することを備える、請求項１に記載の方法。
【請求項４】
前記送信された１つまたは複数のＦＴＭ距離報告メッセージは、前記開始ＳＴＡと前記応答ＳＴＡ以外の１つまたは複数のワイヤレストランシーバデバイスとの間の間隔を示す１つまたは複数のパラメータを含む、請求項１に記載の方法。
【請求項５】
前記１つまたは複数のＦＴＭ距離報告メッセージのうちの少なくとも１つは、前記応答ＳＴＡ以外の前記１つまたは複数のワイヤレストランシーバデバイスのうちの少なくとも１つに固有のＢＳＳＩＤ値を備える、請求項４に記載の方法。
【請求項６】
前記１つまたは複数のＦＴＭ距離報告メッセージのうちの少なくとも１つは、各ワイヤレストランシーバデバイスに関する距離エントリフィールドであって、それに関し前記ワイヤレストランシーバデバイスと前記開始ＳＴＡとの間の間隔を示すパラメータが前記１つまたは複数のＦＴＭ距離報告メッセージのうちの前記少なくとも１つにおいて提供される、各ワイヤレストランシーバデバイスに関する距離エントリフィールドを備える、請求項１に記載の方法。
【請求項７】
前記距離エントリフィールドは、設定された数のバイトを備え、ここにおいて、前記ワイヤレストランシーバデバイスと前記開始ＳＴＡとの間の前記間隔を示す前記パラメータのうちの少なくとも１つは、数分の１メートルと表される、請求項６に記載の方法。
【請求項８】
前記距離を示す前記パラメータの単位は、「最大距離エラー」フィールド中のバイトの状態に少なくとも部分的に基づいて決定される、請求項７に記載の方法。
【請求項９】
開始ワイヤレス局（ＳＴＡ）であって、
ワイヤレス通信ネットワークにメッセージを送信するおよびワイヤレス通信ネットワークからメッセージを受信するためのトランシーバと、
前記トランシーバを通した応答ＳＴＡへのファインタイミング測定（ＦＴＭ）要求メッセージの送信を開始することと、前記ＦＴＭ要求メッセージは、前記開始ＳＴＡが少なくとも１つの測距パラメータを前記応答ＳＴＡと共有する能力を示し、前記少なくとも１つの測距パラメータは、少なくとも１つのペアのデバイス間の１つまたは複数の間隔を示す１つまたは複数のパラメータを備える、
前記ＦＴＭ要求メッセージに応答した前記応答ＳＴＡからの、前記トランシーバにおいて受信された１つまたは複数のＦＴＭメッセージを取得することと、
前記１つまたは複数のＦＴＭメッセージのうちの少なくとも１つの送信の時間に少なくとも部分的に基づいて、前記開始ＳＴＡと前記応答ＳＴＡとの間の距離を示す１つまたは複数のパラメータを決定することと、
前記トランシーバを通した前記応答ＳＴＡへの前記１つまたは複数のパラメータを含む１つまたは複数のＦＴＭ距離報告メッセージの送信を開始することと、
を行うように構成される１つまたは複数のプロセッサと、
を備える、開始ワイヤレス局（ＳＴＡ）。
【請求項１０】
前記ＦＴＭ要求メッセージは、前記応答ＳＴＡから送信されたＦＴＭ距離要求メッセージの受信に応答して、前記応答ＳＴＡに送信される、請求項９に記載の開始ＳＴＡ。
【請求項１１】
前記送信された１つまたは複数のＦＴＭ距離報告メッセージは、前記開始ＳＴＡと前記応答ＳＴＡ以外の１つまたは複数のワイヤレストランシーバデバイスとの間の間隔を示す１つまたは複数のパラメータを含む、請求項９に記載の開始ＳＴＡ。
【請求項１２】
前記１つまたは複数のＦＴＭ距離報告メッセージのうちの少なくとも１つは、前記応答ＳＴＡ以外の前記１つまたは複数のワイヤレストランシーバデバイスのうちの少なくとも１つに固有のＢＳＳＩＤ値を備える、請求項１１に記載の開始ＳＴＡ。
【請求項１３】
前記１つまたは複数のＦＴＭ距離報告メッセージのうちの少なくとも１つは、各ワイヤレストランシーバデバイスに関する距離エントリフィールドであって、それに関し前記ワイヤレストランシーバデバイスと前記開始ＳＴＡとの間の間隔を示すパラメータが前記１つまたは複数のＦＴＭ距離報告メッセージのうちの前記少なくとも１つにおいて提供される、各ワイヤレストランシーバデバイスに関する距離エントリフィールドを備える、請求項９に記載の開始ＳＴＡ。
【請求項１４】
前記距離エントリフィールドは、設定された数のバイトを備え、ここにおいて、前記ワイヤレストランシーバデバイスと前記開始ＳＴＡとの間の前記間隔を示す１つまたは複数のパラメータは、数分の１メートルと表される、請求項１３に記載の開始ＳＴＡ。
【請求項１５】
前記距離を示す前記パラメータの単位は、「最大距離エラー」フィールド中のバイトの状態に少なくとも部分的に基づいて決定される、請求項１４に記載の開始ＳＴＡ。
【請求項１６】
応答ワイヤレス局（ＳＴＡ）において、ファインタイミング測定値を取得するための方法であって、
開始ＳＴＡからファインタイミング測定（ＦＴＭ）要求メッセージを受信することと、前記ＦＴＭ要求メッセージは、前記開始ＳＴＡが少なくとも１つの測距パラメータを前記応答ＳＴＡと共有する能力を示し、前記少なくとも１つの測距パラメータは、少なくとも１つのペアのデバイス間の１つまたは複数の間隔を示す１つまたは複数のパラメータを備える、
前記ＦＴＭ要求メッセージに応答して、１つまたは複数のＦＴＭメッセージを前記開始ＳＴＡに送信することと、
距離を示す１つまたは複数のパラメータを含む１つまたは複数のＦＴＭ距離報告メッセージを、前記開始ＳＴＡから受信することと、前記１つまたは複数のパラメータは、前記送信された１つまたは複数のＦＴＭメッセージのうちの少なくとも１つの送信の時間に少なくとも部分的に基づいて前記開始ＳＴＡにおいて決定される、
を備える、方法。
【請求項１７】
前記ＦＴＭ要求メッセージの送信に先立って、ＦＴＭ距離要求メッセージを前記開始ＳＴＡに送信することをさらに備える、請求項１６に記載の方法。
【請求項１８】
前記１つまたは複数のＦＴＭ距離報告メッセージは、前記開始ＳＴＡと前記応答ＳＴＡ以外の１つまたは複数のワイヤレストランシーバデバイスの間の間隔を示す１つまたは複数の追加的なパラメータを含む、請求項１６に記載の方法。
【請求項１９】
前記１つまたは複数のＦＴＭ距離報告メッセージのうちの少なくとも１つは、前記開始ＳＴＡ以外の前記１つまたは複数のワイヤレストランシーバデバイスのうちの少なくとも１つに固有のＢＳＳＩＤ値を備える、請求項１８に記載の方法。
【請求項２０】
前記１つまたは複数のＦＴＭ距離報告メッセージのうちの少なくとも１つは、各ワイヤレストランシーバデバイスに関する距離エントリフィールドであって、それに関し前記ワイヤレストランシーバデバイスと前記開始ＳＴＡとの間の間隔を示すパラメータが前記１つまたは複数のＦＴＭ距離報告メッセージのうちの前記少なくとも１つにおいて提供される、各ワイヤレストランシーバデバイスに関する距離エントリフィールドを備える、請求項１６に記載の方法。
【請求項２１】
前記距離エントリフィールドは、設定された数のバイトを備え、ここにおいて、前記ワイヤレストランシーバデバイスと前記開始ＳＴＡとの間の前記間隔を示す前記パラメータのうちの前記１つまたは複数のうちの少なくとも１つは、数分の１メートルと表される、請求項２０に記載の方法。
【請求項２２】
前記距離を示す前記パラメータの単位は、「最大距離エラー」フィールド中のバイトの状態に少なくとも部分的に基づいて決定される、請求項２１に記載の方法。
【請求項２３】
前記１つまたは複数のＦＴＭメッセージは、前記ＦＴＭ要求メッセージにおける、前記開始ＳＴＡが前記少なくとも１つの測距パラメータを前記応答ＳＴＡと共有する前記能力のインジケーションの存在にさらに応答して、送信される、請求項１６に記載の方法。
【請求項２４】
応答ワイヤレス局（ＳＴＡ）であって、
ワイヤレス通信ネットワークにメッセージを送信するおよびワイヤレス通信ネットワークからメッセージを受信するためのトランシーバと、
前記トランシーバにおいて開始ＳＴＡから受信されたファインタイミング測定（ＦＴＭ）要求メッセージを取得することと、前記ＦＴＭ要求メッセージは、前記開始ＳＴＡが少なくとも１つの測距パラメータを前記応答ＳＴＡと共有する能力を示し、前記少なくとも１つの測距パラメータは、少なくとも１つのペアのデバイス間の１つまたは複数の間隔を示す１つまたは複数のパラメータを備える、
前記ＦＴＭ要求メッセージに応答して、前記開始ＳＴＡへの前記トランシーバを通した１つまたは複数のＦＴＭメッセージの送信を開始することと、
距離を示す１つまたは複数のパラメータを含む、前記トランシーバにおいて前記開始ＳＴＡから受信された１つまたは複数のＦＴＭ距離報告メッセージを取得することと、前記１つまたは複数のパラメータは、前記送信された１つまたは複数のＦＴＭメッセージのうちの少なくとも１つの送信の時間に少なくとも部分的に基づいて、前記開始ＳＴＡにおいて決定される、
を行うように構成される１つまたは複数のプロセッサと、
を備える、応答ワイヤレス局（ＳＴＡ）。
【請求項２５】
前記１つまたは複数のＦＴＭ距離報告メッセージのうちの少なくとも１つは、少なくとも、前記開始ＳＴＡと前記応答ＳＴＡとの間の第１の距離と、前記開始ＳＴＡと少なくとも１つの他のワイヤレストランシーバデバイスとの間の第２の距離とを含む、測定された距離を備える、請求項２４に記載の応答ＳＴＡ。
【請求項２６】
前記１つまたは複数のＦＴＭ距離報告メッセージは、前記開始ＳＴＡと前記応答ＳＴＡ以外の１つまたは複数のワイヤレストランシーバデバイスとの間の間隔を示す１つまたは複数の追加的なパラメータを含む、請求項２４に記載の応答ＳＴＡ。
【請求項２７】
前記１つまたは複数のＦＴＭ距離報告メッセージのうちの少なくとも１つは、前記開始ＳＴＡ以外の前記１つまたは複数のワイヤレストランシーバデバイスのうちの少なくとも１つに固有のＢＳＳＩＤ値を備える、請求項２６に記載の応答ＳＴＡ。
【請求項２８】
前記１つまたは複数のプロセッサは、前記ＦＴＭ要求メッセージの送信に先立って、前記開始ＳＴＡへの前記トランシーバを通したＦＴＭ距離要求メッセージの送信を開始するようにさらに構成される、請求項２４に記載の応答ＳＴＡ。
【請求項２９】
前記ＦＴＭ要求メッセージは、前記ＦＴＭ要求メッセージが、前記ＦＴＭ要求メッセージの特定のフィールドに埋め込まれている前記距離を示す前記１つまたは複数のパラメータを備えることを示す、トリガフィールドにおける値を備える、請求項２４に記載の応答ＳＴＡ。
【請求項３０】
前記ＦＴＭ要求メッセージは、トリガフィールドを備え、前記トリガフィールドは、前記開始ＳＴＡが前記少なくとも１つの測距パラメータを前記応答ＳＴＡと共有する能力を示す、請求項１に記載の方法。
【請求項３１】
前記ＦＴＭ要求メッセージは、前記開始ＳＴＡが、前記少なくとも１つの測距パラメータを備える距離報告メッセージを前記応答ＳＴＡに通信する能力をさらに示す、請求項１に記載の方法。
【国際調査報告】
2017520758.tif 000013
2017520758.tif 000014
2017520758.tif 000015